(57)【要約】【課題】本発明は、撮影時の手ぶれを防止する。【解決手段】本発明は、制御部２０が、操作スクリーン１６の表面に操作体がかざされた際、その操作スクリーン１６により検出された当該表面に対する操作体のかざし領域に応じて、被写体を撮影する撮影部２２による当該被写体の撮影を制御することにより、撮影部２２により被写体を撮影する際、デジタルカメラ１０に操作キーを押下操作するような外力を何ら加えさせることなく命令を入力させて、当該撮影部２２による被写体の撮影を制御することができ、かくして撮影時の手ぶれを防止することができる。【選択図】図１４
2011101184.tif 000002
【特許請求の範囲】
【請求項１】
被写体を撮影する撮影部と、
表面に操作体がかざされた際、当該表面に対する上記操作体のかざし領域を検出する操作スクリーンと、
上記操作スクリーンにより検出された上記かざし領域に応じて、上記撮影部による上記被写体の撮影を制御する制御部と
を具える撮影装置。
【請求項２】
上記制御部は、
上記操作スクリーンにより検出された上記かざし領域に応じて、上記被写体を写真撮影するように、上記撮影部による当該被写体の撮影を制御する
請求項１に記載の撮影装置。
【請求項３】
上記制御部は、
上記操作スクリーンにより検出された上記かざし領域に応じて、上記被写体を写真撮影するための準備を整えるように、上記撮影部による当該被写体の撮影を制御する
請求項２に記載の撮影装置。
【請求項４】
上記制御部は、
上記操作スクリーンにより検出された上記かざし領域に応じて、上記被写体の動画撮影を開始するように、上記撮影部による当該被写体の撮影を制御する
請求項３に記載の撮影装置。
【請求項５】
上記制御部は、
上記操作スクリーンにより検出された上記かざし領域に応じて、上記被写体の動画撮影を終了するように、上記撮影部による当該被写体の撮影を制御する
請求項４に記載の撮影装置。
【請求項６】
上記制御部は、
上記操作スクリーンにより検出された上記かざし領域に応じて、上記被写体の動画撮影の間に当該被写体を写真撮影するように、上記撮影部による上記被写体の撮影を制御する
請求項５に記載の撮影装置。
【請求項７】
上記制御部は、
上記操作スクリーンにより検出された上記かざし領域に応じて、上記被写体の撮影範囲を広げ、また狭めるように、上記撮影部による上記被写体の撮影を制御する
請求項６に記載の撮影装置。
【請求項８】
上記操作スクリーンは、
上記撮影部により上記被写体が撮影状態の確認用に撮影されて生成された撮影状態提示画像を表示すると共に、当該撮影状態提示画像に所定のアイコンを重ねて表示し、
上記制御部は、
上記操作スクリーンにより検出された上記かざし領域に応じて、上記被写体の動画撮影の間、上記操作スクリーンに表示されている上記撮影状態提示画像上で上記アイコンを移動させるように、上記撮影部による上記被写体の撮影を制御する
請求項７に記載の撮影装置。
【請求項９】
上記制御部は、
上記操作スクリーンにより検出された上記かざし領域に応じて、上記撮影部により上記被写体を動画撮影して生成される動画像データにエフェクト処理を施すように、上記撮影部による上記被写体の撮影を制御する
請求項８に記載の撮影装置。
【請求項１０】
操作スクリーンの表面に操作体がかざされた際、当該操作スクリーンにより検出された上記表面に対する上記操作体のかざし領域に応じて、被写体を撮影する撮影部による当該被写体の撮影を制御する制御ステップ
を具える撮影制御方法。
【請求項１１】
コンピュータに
操作スクリーンの表面に操作体がかざされた際、当該操作スクリーンにより検出された上記表面に対する上記操作体のかざし領域に応じて、被写体を撮影する撮影部による当該被写体の撮影を制御する制御ステップ
を実行させる撮影制御プログラム。
【発明の詳細な説明】
【技術分野】
【０００１】
本発明は撮影装置、撮影制御方法及び撮影制御プログラムに関し、例えば、被写体を写真撮影し得ると共に、動画撮影し得るデジタルカメラに適用して好適なものである。
【背景技術】
【０００２】
従来のビデオカメラは、外装を構成するケースに、撮影スタート／ストップスイッチやズームスイッチ等の種々の操作スイッチが設けられている。そしてビデオカメラは、これら操作スイッチの押下操作に応じて、被写体を含む撮影範囲を選定し、また当該被写体を動画撮影していた（例えば、特許文献１参照）。
【先行技術文献】
【特許文献】
【０００３】
【特許文献１】特開２００９−２０７５９公報（第１６頁、図１３）
【発明の概要】
【発明が解決しようとする課題】
【０００４】
ところが、かかる構成のビデオカメラは、被写体を動画撮影する際、操作スイッチが押下操作されると、その押下操作に応じてケースが動いて手ぶれが生じる（すなわち、撮影により得られる画像にぶれが生じる）という問題があった。
【０００５】
本発明は以上の点を考慮してなされたもので、撮影時の手ぶれを防止し得る撮影装置、撮影制御方法及び撮影制御プログラムを提案しようとするものである。
【課題を解決するための手段】
【０００６】
かかる課題を解決するため本発明においては、制御部が、操作スクリーンの表面に操作体がかざされた際、その操作スクリーンにより検出された当該表面に対する操作体のかざし領域に応じて、被写体を撮影する撮影部による当該被写体の撮影を制御するようにした。
【０００７】
従って本発明では、撮影部により被写体を撮影する際、撮影装置に操作キーを押下操作するような外力を何ら加えさせることなく命令を入力させて、当該撮影部による被写体の撮影を制御することができる。
【発明の効果】
【０００８】
本発明によれば、制御部が、操作スクリーンの表面に操作体がかざされた際、その操作スクリーンにより検出された当該表面に対する操作体のかざし領域に応じて、被写体を撮影する撮影部による当該被写体の撮影を制御するようにしたことにより、撮影部により被写体を撮影する際、撮影装置に操作キーを押下操作するような外力を何ら加えさせることなく命令を入力させて、当該撮影部による被写体の撮影を制御することができ、かくして撮影時の手ぶれを防止し得る撮影装置、撮影制御方法及び撮影制御プログラムを実現することができる。
【図面の簡単な説明】
【０００９】
【図１】本発明による撮影装置の回路構成の一実施の形態を示すブロック図である。
【図２】デジタルカメラの外観構成の一実施の形態を示す略線図である。
【図３】デジタルカメラのハードウェア回路ブロックによる回路構成を示すブロック図である。
【図４】操作スクリーンの構成を示す略線図である。
【図５】画素毎のカラーフィルタ及び光センサの構成を示す略線図である。
【図６】操作スクリーンの表示面に操作体がかざされたときの赤外線の反射の説明に供する略線図である。
【図７】操作スクリーンの表示面が操作体にタッチされたときの赤外線の反射の説明に供する略線図である。
【図８】領域検出部の回路構成を示すブロック図である。
【図９】各画素位置の光センサの走査の説明に供する略線図である。
【図１０】領域データの構成を示す略線図である。
【図１１】かざし領域の検出の説明に供する略線図である。
【図１２】撮影モード時の命令入力領域の説明に供する略線図である。
【図１３】撮影準備命令の入力に応じた撮影準備処理の説明に供する略線図である。
【図１４】撮影命令の入力に応じた写真撮影処理の説明に供する略線図である。
【図１５】ズームイン命令の入力に応じたズーム処理の説明に供する略線図である。
【図１６】ズームアウト命令の入力に応じたズーム処理の説明に供する略線図である。
【図１７】記録開始命令の入力に応じた動画撮影処理の開始の説明に供する略線図である。
【図１８】記録終了命令の入力に応じた動画撮影処理の終了の説明に供する略線図である。
【図１９】移動命令の入力に応じた移動処理の説明に供する略線図である。
【図２０】片手でのかざし操作によるフェード命令の入力に応じたフェード処理の説明に供する略線図である。
【図２１】両手でのかざし操作に応じたフェード命令の入力に応じたフェード処理の説明に供する略線図である。
【図２２】撮影制御処理手順（１）を示すフローチャートである。
【図２３】撮影制御処理手順（２）を示すフローチャートである。
【図２４】撮影制御処理手順（３）を示すフローチャートである。
【図２５】撮影制御処理手順（４）を示すフローチャートである。
【図２６】撮影制御処理手順（５）を示すフローチャートである。
【発明を実施するための形態】
【００１０】
以下図面を用いて、発明を実施するための最良の形態（以下、これを実施の形態とも呼ぶ）について説明する。なお、説明は以下の順序で行う。
１．実施の形態
２．変形例
【００１１】
＜１．実施の形態＞
［１−１．実施の形態の概要］
まず、実施の形態の概要を説明する。因みに、この概要を説明した後、本実施の形態の具体例の説明に移る。
【００１２】
図１において、１は全体として実施の形態による撮影装置を示す。かかる撮影装置１において撮影部２は、被写体を撮影する。また撮影装置１において操作スクリーン３は、表面に操作体がかざされた際、当該表面に対する操作体のかざし領域を検出する。さらに撮影装置１において制御部４は、操作スクリーン３により検出されたかざし領域に応じて、撮影部２による被写体の撮影を制御する。
【００１３】
かかる構成により撮影装置１は、撮影部２により被写体を撮影する際、当該撮影装置１に操作キーを押下操作するような外力を何ら加えさせることなく命令を入力させて、その撮影部２による被写体の撮影を制御することができる。これにより撮影装置１は、撮影時の手ぶれを防止することができる。
【００１４】
［１−２  デジタルカメラの外観構成］
次いで、図２（Ａ）及び（Ｂ）を用いて、上述した撮影装置１の具体例であるデジタルカメラ１０の外観構成について説明する。図２（Ａ）及び（Ｂ）に示すように、デジタルカメラ１０は、片手で把持し得る程度の大きさでなる略偏平矩形状の筐体１１を有している。
【００１５】
筐体１１の前面１１Ａには、その上部に、撮影レンズ１２、オートフォーカス（AF：Auto  Focus）イルミネータ１３、フラッシュ１４が設けられている。因みに、オートフォーカスイルミネータ１３は、セルフタイマランプも兼ねている。
【００１６】
また前面１１Ａには、レンズカバー１５が上方向及び下方向にスライド可能に取り付けられている。これにより筐体１１は、レンズカバー１５が下方向にスライドした場合、撮影レンズ１２、オートフォーカスイルミネータ１３及びフラッシュ１４を露出させ得るようになされている。
【００１７】
これに対し筐体１１は、レンズカバー１５が上方向にスライドした場合、撮影レンズ１２、オートフォーカスイルミネータ１３及びフラッシュ１４を覆い、外部から保護し得るようになされている。因みに、デジタルカメラ１０は、電源のオフ状態でレンズカバー１５が下方向にスライドした場合、これに応じて自動的に電源をオンし得るようになされている。
【００１８】
さらに筐体１１の背面１１Ｂには、操作スクリーン１６が設けられている。操作スクリーン１６は、手のひらや指、スタイラスペン等を、特に接触させなくても、かざすような操作により種々の命令を入力するための操作部としての機能と、写真画像や動画像等を表示するための表示部の機能とを有するデバイスである。
【００１９】
因みに、以下の説明では、操作スクリーン１６の表示面に、命令入力用にかざすことのできる手のひらや指、スタイラスペン等を、操作体とも呼ぶ。また、以下の説明では、操作スクリーン１６の表示面に、命令入力用に操作体をかざす操作を、かざし操作とも呼ぶ。
【００２０】
さらに筐体１１の上面１１Ｃには、電源キー１７や再生キー１８が配置されている。因みに、再生キー１８は、デジタルカメラ１０の動作モードを、写真画像や動画像を再生して操作スクリーン１６に表示する再生モードに切り替えるためのハードウェアキーである。
【００２１】
かかる構成によりデジタルカメラ１０は、レンズカバー１５が下方向にスライドされ、又は電源キー１７が押下操作されると、電源をオンして、例えば、撮影モードで起動する。
【００２２】
デジタルカメラ１０は、撮影モード時、撮影レンズ１２を介して被写体を、撮影範囲や構図、フォーカス等の撮影状態の確認用に連続撮影しながら撮影状態提示画像（すなわち、スルー画）を生成し操作スクリーン１６に表示する。
【００２３】
またデジタルカメラ１０は、この際、操作スクリーン１６の表示面に対するかざし操作に応じてズーム（ＴＥＬＥ／ＷＩＤＥ）を行う。このようにしてデジタルカメラ１０は、操作スクリーン１６に表示した撮影状態提示画像によって、ユーザに被写体の撮影状態を確認させることができる。
【００２４】
この状態でデジタルカメラ１０は、操作スクリーン１６の表示面に対するかざし操作により被写体を写真撮影する撮影命令が入力されると、撮影レンズ１２を介して被写体を写真撮影して写真画像を生成し記録する。
【００２５】
またデジタルカメラ１０は、操作スクリーン１６の表示面に対するかざし操作により被写体の連続的な撮影の記録を開始する記録開始命令が入力されると、撮影レンズ１２を介して被写体を連続的に撮影しながら、その撮影を記録する動画撮影を開始する。
【００２６】
そしてデジタルカメラ１０は、この後、操作スクリーン１６の表示面に対するかざし操作により撮影の記録を終了する記録終了命令が入力されるまでの間、被写体の動画撮影を継続して動画像を生成し記録する。
【００２７】
このようにしてデジタルカメラ１０は、被写体を写真撮影して写真画像を生成し記録し得ると共に、被写体を動画撮影して動画像を生成し記録し得るようになされている。
【００２８】
デジタルカメラ１０は、再生キー１８が押下操作されると、撮影モードから再生モードに移行する。この際、デジタルカメラ１０は、例えば、すでに記録している写真画像及び動画像のうち１つを操作スクリーン１６に表示する。そしてデジタルカメラ１０は、操作スクリーン１６の表示面に対するかざし操作に応じて、これに表示する写真画像や動画像を切り替える。
【００２９】
このようにしてデジタルカメラ１０は、被写体を写真撮影して記録していた写真画像や、被写体を動画撮影して記録していた動画像を再生して見せることができるようになされている。
【００３０】
［１−３  デジタルカメラ１０の回路構成］
次いで、図３を用いて、デジタルカメラ１０のハードウェア回路ブロックによる回路構成について説明する。図３に示すように、デジタルカメラ１０は、例えば、マイクロプロセッサ構成の制御部２０を有している。
【００３１】
制御部２０は、内部のメモリ（図示せず）に予め記憶されている各種プログラムに従ってデジタルカメラ１０全体を制御すると共に、所定の演算処理を実行する。また制御部２０は、例えば、操作スクリーン１６の表示面に対するかざし操作により入力される命令や、上述の電源キー１７及び再生キー１８のような筐体１１に設けられた操作キー２１の操作に応じて入力される命令に応じた各種処理も実行する。
【００３２】
これにより制御部２０は、電源キーが操作され電源オン命令が入力されると、例えば、電源をオンして撮影モードで起動する。また制御部２０は、例えば、再生モード時に、操作スクリーン１６の表示面に対するかざし操作により、再生モードを撮影モードへ切り替えるモード切替命令が入力されると、再生モードから撮影モードへ移行する。
【００３３】
制御部２０は、撮影モード時、被写体を含む撮影範囲から到来する撮像光を、撮像部２２において光学ユニット２３を介して撮像素子２４の受光面で受光する。因みに、光学ユニット２３は、上述した撮影レンズ１２と共に絞りやフォーカスレンズ、ズームレンズ等が設けられて構成されている。また撮像素子２４は、ＣＣＤ（Charge  Coupled  Device）イメージセンサ又はＣＭＯＳ（Complementary  Metal  Oxide  Semiconductor）イメージセンサ等でなる。
【００３４】
この際、制御部２０は、ドライバ２５を介して光学ユニット２３を適宜駆動制御することにより、当該光学ユニット２３においてフォーカスレンズの位置や絞りの開口量等を調整するようにして、被写体を含む撮影範囲に対しフォーカスや露出を自動調整する。
【００３５】
また制御部２０は、この際、操作スクリーン１６の表示面に対するかざし操作によりズーム命令が入力されると、そのズーム命令に応じてドライバ２５を介して光学ユニット２３のズームレンズを移動させる。これにより制御部２０は、撮影範囲を広げ又は狭めるようにズーム倍率を調整する。
【００３６】
この状態で制御部２０は、タイミングジェネレータ２６を制御して、当該タイミングジェネレータ２６から所定周期でタイミング信号を撮像素子２４に送出する。これにより撮像素子２４は、受光面で受光している撮像光を、タイミング信号の入力タイミングで光電変換して当該撮像光に応じたアナログの光電変換信号を順次生成する。
【００３７】
また撮像素子２４は、光電変換信号を生成する毎に、当該生成した光電変換信号を、アナログフロントエンド（Analog  Front  End）回路（以下、これをＡＦＥ回路とも呼ぶ）２７に送出する。
【００３８】
ＡＦＥ回路２７は、撮像素子２４から光電変換信号が与えられる毎に、その光電変換信号に増幅処理やノイズ低減処理のような所定のアナログ処理を施してアナログの撮像信号を生成する。またＡＦＥ回路２７は、撮像信号を生成する毎に、当該生成した撮像信号を、アナログデジタル変換処理してデジタルの撮像データとしてデジタル処理回路２８に送出する。
【００３９】
デジタル処理回路２８は、ＡＦＥ回路２７から撮像データが与えられる毎に、その撮像データにシェーディング補正処理や、操作スクリーン１６の表示解像度に応じて画素を間引く画像縮小処理のような撮影状態提示用のデジタル処理を施す。因みに、以下の説明では、撮影状態提示用のデジタル処理を、状態提示用デジタル処理とも呼ぶ。
【００４０】
これによりデジタル処理回路２８は、ＡＦＥ回路２７から順次与えられる撮像データに基づき、撮影状態提示画像を構成する時間的に連続な複数の状態提示単位画像の状態提示単位画像データを生成する。
【００４１】
デジタル処理回路２８は、このようにして撮像データに基づき状態提示単位画像データを順次生成しながら、当該生成した状態提示単位画像データのデータ列を、撮影状態提示画像データとして制御部２０に送出する。
【００４２】
この際、制御部２０は、デジタル処理回路２８から与えられた撮影状態提示画像データを操作スクリーン１６に送出する。これにより制御部２０は、操作スクリーン１６に撮影状態提示画像データに基づく撮影状態提示画像を（すなわち、状態提示単位画像データに基づく状態提示単位画像を順次切り替えて撮影状態提示画像として）表示する。
【００４３】
このようにして制御部２０は、操作スクリーン１６に表示した撮影状態提示画像により、ユーザに撮影範囲や構図、フォーカス等のような被写体の撮影状態を確認させることができる。
【００４４】
因みに、制御部２０は、この際、デジタルカメラ１０に内蔵されたバッテリ（図示せず）の残量や撮影条件のようなデジタルカメラ１０の使用状況を示すアイコン等の画像データを撮影状態提示画像データに合成している。
【００４５】
これにより制御部２０は、操作スクリーン１６に表示した撮影状態提示画像に、そのアイコンを重ねて表示して、当該アイコンによりバッテリの残量やこの時点に選定されている撮影条件等のようなデジタルカメラ１０の使用状況を通知し得るようになされている。
【００４６】
この状態で制御部２０は、操作スクリーン１６の表示面に対するかざし操作により撮影命令が入力されると、その撮影命令の入力に応じて、撮影部２２やコーデック２９等を写真撮影用に制御する。
【００４７】
このとき制御部２０は、タイミングジェネレータ２６を制御して、撮像光により撮像素子２４の受光面を、所定のシャッタスピードで写真撮影用に露光する。よって撮像素子２４は、受光面を露光した撮像光を光電変換して、当該露光した撮像光に応じた光電変換信号を生成すると共に、当該生成した光電変換信号をＡＦＥ回路２７に送出する。
【００４８】
ＡＦＥ回路２７は、このとき撮像素子２４から与えられた光電変換信号にアナログ処理を施して撮像信号を生成すると共に、当該生成した撮像信号を、アナログデジタル変換処理して撮像データとしてデジタル処理回路２８に送出する。
【００４９】
デジタル処理回路２８は、このときＡＦＥ回路２７から与えられた撮像データにシェーディング補正処理や、予め写真画像用に選定された画像サイズに応じて画素を間引く画像縮小処理のような写真撮影用のデジタル処理を施す。因みに、以下の説明では、写真撮影用のデジタル処理を、写真撮影用デジタル処理とも呼ぶ。
【００５０】
これによりデジタル処理回路２８は、ＡＦＥ回路２７から与えられた撮像データに基づき、被写体を含む撮影範囲を写真撮影して得られる写真画像データを生成し、当該生成した写真画像データを、コーデック２９に送出する。
【００５１】
コーデック２９は、デジタル処理回路２８から写真画像データが与えられると、その写真画像データにＪＰＥＧ（Joint  Photographic  Experts  Group）方式等の所定の圧縮符号化方式で圧縮符号化処理を施して圧縮写真画像データを生成する。
【００５２】
因みにコーデック２９は、この際、写真画像データに画素を間引く縮小処理を施して縮小写真画像の縮小写真画像データも生成する。なお、以下の説明では、縮小写真画像を、写真サムネイルとも呼び、縮小写真画像データを、写真サムネイルデータとも呼ぶ。
【００５３】
そしてコーデック２９は、その圧縮写真画像データを、写真サムネイルデータと共に記録媒体３０に送出する。これによりコーデック２９は、記録媒体３０に圧縮写真画像データと写真サムネイルデータとを対応付けて記録する。このようにして制御部２０は、被写体を写真撮影して、その結果得られた写真画像データを記録することができる。
【００５４】
また制御部２０は、操作スクリーン１６の表示面に対するかざし操作により記録開始命令が入力されると、これに応じて動画撮影を開始する。また制御部２０は、この後、操作スクリーン１６の表示面に対するかざし操作により記録終了命令が入力されると、これに応じて動画撮影を終了する。
【００５５】
そして制御部２０は、撮影モード時、記録開始命令が入力されてから、記録終了命令が入力されるまでの間、デジタル処理回路２８及びコーデック２９等を被写体の動画撮影用に制御する。
【００５６】
この際、制御部２０は、タイミングジェネレータ２６を制御して、当該タイミングジェネレータ２６から所定周期でタイミング信号を撮像素子２４に送出する。よって撮像素子２４は、上述と同様に受光面で受光している撮像光を、タイミング信号の入力タイミングで光電変換して、当該撮像光に応じた光電変換信号を順次生成してＡＦＥ回路２７に送出する。
【００５７】
ＡＦＥ回路２７は、撮像素子２４から光電変換信号が与えられる毎に、その光電変換信号にアナログ処理を施して撮像信号を生成すると共に、当該生成した撮像信号をアナログデジタル変換処理して撮像データとしてデジタル処理回路２８に送出する。
【００５８】
デジタル処理回路２８は、ＡＦＥ回路２７から撮像データが与えられる毎に、その撮像データにシェーディング補正処理や、予め動画像用に選定された画像サイズに応じて画素を間引く画像縮小処理のような動画撮影用のデジタル処理を施す。因みに、以下の説明では、動画撮影用のデジタル処理を、動画撮影用デジタル処理とも呼ぶ。
【００５９】
これによりデジタル処理回路２８は、ＡＦＥ回路２７から順次与えられる撮像データに基づき、動画像を構成する時間的に連続な複数のフレーム又はフィールドのような単位動画像の単位動画像データを生成する。
【００６０】
デジタル処理回路２８は、このようにして撮像データに基づき単位動画像データを順次生成しながら、当該生成した単位動画像データのデータ列を、動画像データとしてコーデック２９に送出する。
【００６１】
ここで、デジタルカメラ１０には、当該デジタルカメラ１０に設けられたマイクロホンを含む音声生成部３１が設けられている。音声生成部３１は、被写体の動画撮影の間、マイクロホンを介してデジタルカメラ１０の周囲の音声を集音してアナログの音声信号を生成する。
【００６２】
また音声生成部３１は、その音声信号に増幅処理及びアナログデジタル変換処理等を施してデジタルの音声データを生成して制御部２０に送出する。制御部２０は、音声生成部３１から音声データが与えられると、その音声データをコーデック２９に送出する。
【００６３】
コーデック２９は、この際、デジタル処理回路２８から与えられる動画像データにＭＰＥＧ（Moving  Picture  Experts  Group）方式等の所定の圧縮符号化方式で圧縮符号化処理を施して圧縮動画像データを生成する。
【００６４】
またコーデック２９は、制御部２０から与えられる音声データについてもＭＰＥＧ方式等の所定の圧縮符号化方式で圧縮符号化処理を施して圧縮音声データを生成する。さらにコーデック２９は、このように圧縮動画像データ及び圧縮音声データを生成しながら、これらを所定単位毎に時分割多重化して多重化データ（以下、これを映像データとも呼ぶ）を生成する。
【００６５】
因みにコーデック２９は、この際、動画像データを構成する複数の単位動画像データのうち、先頭の単位動画像データに画素を間引く縮小処理を施して、縮小単位動画像の縮小単位動画像データも生成する。なお、以下の説明では、縮小単位動画像を、動画サムネイルとも呼び、縮小単位動画像データを、動画サムネイルデータとも呼ぶ。
【００６６】
そしてコーデック２９は、その映像データを、動画サムネイルデータと共に記録媒体３０に送出する。これによりコーデック２９は、記録媒体３０に映像データと動画サムネイルデータとを対応付けて記録する。このようにして制御部２０は、被写体を動画撮影して、その結果得られた動画像データを映像データとして記録することができる。
【００６７】
ところで、制御部２０は、操作スクリーン１６の表示面に対するかざし操作によりズーム命令が入力されると、そのズーム命令に応じてドライバ２５を介して光学ユニット２３のズームレンズを移動させて撮影範囲を広げ又は狭めることができる。
【００６８】
またデジタルカメラ１０は、このような被写体の動画撮影の際、ユーザにより当該デジタルカメラ１０の向き（すなわち、撮影レンズ１２の向き）が、例えば、移動している被写体に追従させるように変更される場合がある。
【００６９】
このためデジタル処理回路２８は、動画撮影の間、ＡＦＥ回路２７から与えられた撮像データに動画撮影用デジタル処理を施して単位動画像データを生成するものの、その撮像データに状態提示用デジタル処理を施して状態提示単位画像データも生成している。
【００７０】
そしてデジタル処理回路２８は、複数の単位動画像データのデータ列を動画像データとしてコーデック２９に送出するものの、この際、複数の状態提示単位画像データのデータ列を撮影状態提示画像データとして制御部２０に送出している。
【００７１】
よって制御部２０は、動画撮影時には、デジタル処理回路２８から与えられた撮影状態提示画像データを操作スクリーン１６に送出して、当該操作スクリーン１６に撮影状態提示画像を表示する。
【００７２】
このようにして制御部２０は、被写体を動画撮影している間も、操作スクリーン１６に表示した撮影状態提示画像により、ユーザに撮影範囲や構図、フォーカス等のような被写体の撮影状態を確認させることができる。
【００７３】
因みに、制御部２０は、この際、撮影状態提示画像データに、バッテリの残量や撮影条件、記録媒体３０の空き容量等のようなデジタルカメラ１０の使用状況を示すアイコン等の画像データを合成している。また制御部２０は、撮影状態提示画像データに、撮影記録時間（動画撮影の経過時間）のような動画撮影の状況を示すテキストのテキストデータも合成している。
【００７４】
よって制御部２０は、操作スクリーン１６に表示した撮影状態提示画像に、そのアイコンやテキスト（文字列）を重ねて表示して、これらアイコンやテキストにより、デジタルカメラ１０の使用状況や動画撮影の状況を通知し得るようになされている。
【００７５】
さらに制御部２０は、被写体の動画撮影中に操作スクリーン１６の表示面に対するかざし操作により撮影命令が入力されると、デジタル処理回路２８及びコーデック２９等を被写体の動画撮影用に制御しながら、その撮影命令の入力に応じて写真撮影用にも制御する。
【００７６】
この際、デジタル処理回路２８は、撮影命令が入力された際にＡＦＥ回路２７から与えられた１つの撮像データに、動画撮影用デジタル処理と共に写真撮影用デジタル処理を施す。
【００７７】
これによりデジタル処理回路２８は、撮影命令が入力された際にＡＦＥ回路２７から与えられた１つの撮像データに基づき、単位動画像データを生成すると共に、写真画像データを生成する。
【００７８】
デジタル処理回路２８は、このようにして撮像データに基づき単位動画像データ及び写真画像データを生成すると、その単位動画像データを動画像データの一部としてコーデック２９に送出すると共に、写真画像データもコーデック２９に送出する。
【００７９】
よってコーデック２９は、この際、被写体の動画撮影に応じて上述のように映像データを生成しながら、写真画像データに基づき上述と同様に圧縮写真画像データ及び写真サムネイルデータを生成する。
【００８０】
そしてコーデック２９は、その圧縮写真画像データを写真サムネイルデータと共に記録媒体３０に送出して、当該記録媒体３０に、これら圧縮写真画像データと写真サムネイルデータとを対応付けて記録する。このようにして制御部２０は、被写体の動画撮影の途中でも、その被写体を写真撮影して、その結果得られた写真画像データを記録することができる。
【００８１】
因みに制御部２０は、写真撮影や動画撮影の際、オートフォーカスイルミネータ１３及びフラッシュ１４等を有する発光部３２を適宜制御して発光させることで、フォーカスを自動的に調整したことを通知し、また被写体を撮影用に照明し得るようになされている。
【００８２】
一方、制御部２０は、例えば、撮影モード時、ユーザにより再生キー１８が操作され、モード切替命令が入力されると、そのモード切替命令の入力に応じて、撮影モードから再生モードへと移行する。
【００８３】
制御部２０は、再生モード時、例えば、コーデック２９を介して記録媒体３０から、写真サムネイルデータ及び動画サムネイルデータを全て読み出して操作スクリーン１６に送出する。これにより制御部２０は、操作スクリーン１６に、写真サムネイルデータに基づく写真サムネイルと、動画サムネイルデータに基づく動画サムネイルとを一覧表示する。
【００８４】
この状態で制御部２０は、操作スクリーン１６の表示面に対するかざし操作により、例えば、写真サムネイルが再生用に選択されると、コーデック２９に記録媒体３０から、その選択された写真サムネイルに対応する圧縮写真画像データを読み出させる。
【００８５】
この際、コーデック２９は、圧縮写真画像データを伸長復号して元の写真画像データを生成すると共に、その写真画像データに、操作スクリーン１６の表示解像度に応じて画素を間引く画像縮小処理を施して表示用の写真画像データを生成し制御部２０に送出する。
【００８６】
制御部２０は、コーデック２９から表示用の写真画像データが与えられると、その写真画像データを操作スクリーン１６に送出することにより、当該操作スクリーン１６に、その写真画像データに基づく写真画像を表示する。このようにして制御部２０は、被写体を写真撮影して記録していた写真画像を見せることができる。
【００８７】
また制御部２０は、操作スクリーン１６の表示面に対するかざし操作により、例えば、動画サムネイルが再生用に選択されると、コーデック２９に記録媒体３０から、その選択された動画サムネイルに対応する映像データを読み出させる。
【００８８】
この際、コーデック２９は、映像データを圧縮動画像データ及び圧縮音声データに分離する。またコーデック２９は、その圧縮動画像データを伸長復号して元の動画像データを生成する。
【００８９】
さらにコーデック２９は、その動画像データを構成する複数の単位動画像データそれぞれに、操作スクリーン１６の表示解像度に応じて画素を間引く画像縮小処理を施すことにより表示用の動画像データを生成する。
【００９０】
さらにコーデック２９は、圧縮音声データについても、伸長復号して元の音声データを生成する。そしてコーデック２９は、これら動画像データ及び音声データを制御部２０に送出する。
【００９１】
制御部２０は、コーデック２９から表示用の動画像データが音声データと共に与えられると、その動画像データを操作スクリーン１６に送出すると共に、音声データを、デジタルカメラ１０に設けられたスピーカを含む音声出力部３３に送出する。
【００９２】
これにより制御部２０は、操作スクリーン１６に動画像データに基づく動画像を表示すると共に、その表示に同期させて、音声出力部３３により音声データに基づく音声を出力させる。このようにして制御部２０は、被写体を動画撮影して記録していた動画像を、その際に録音していた周囲の音声と共に視聴させることができる。
【００９３】
［１−４  操作スクリーンの構成］
次いで、図４を用いて操作スクリーン１６の構成について説明する。図４に示すように、操作スクリーン１６は、それぞれ四角形の板状に形成された導光板４０と、液晶パネル４１と、透明な光透過型の保護板４２とが順次積層配置されて全体の厚みが格段的に薄く形成された光センサ内蔵型表示部４３を有している。
【００９４】
光センサ内蔵型表示部４３は、導光板４０の一端に、可視光線及び赤外線を照明光として発射するバックライト４４が配置されている。そして光センサ内蔵型表示部４３は、デジタルカメラ１０（図２）に、保護板４２の表面を上述の表示面４３Ａとして筐体１１の背面１１Ｂから露出させ、導光板４０及び液晶パネル４１をバックライト４４と共に筐体１１内部に収納するように設けられている。
【００９５】
液晶パネル４１は、四角形の２枚の透明基板の間に液晶が封入されて形成された液晶層を有している。そして液晶パネル４１は、液晶層の表面（保護板４２の方向）にカラーフィルタ基板、及び例えば、垂直方向の偏光フィルタが順次積層配置されている。また液晶パネル４１は、液晶層の裏面（導光板４０の方向）に電極基板、及び例えば、水平方向の偏光フィルタが順次積層配置されている。
【００９６】
電極基板は、四角形の透明な基材上に、アレイ状に配置される複数の画素の画素位置に対応させて複数の透明電極が配置されて形成されている。またカラーフィルタ基板は、四角形の透明な基材上に、その各画素位置に対応させて複数の透明電極が配置されている。
【００９７】
さらにカラーフィルタ基板は、その基材上に、各画素位置それぞれに対応させて図５に示すような３色（赤、緑、青）のカラーフィルタＣＦ１乃至ＣＦ３、及び赤外線受光用の透明な光センサＬＳが配置されて形成されている。
【００９８】
また操作スクリーン１６（図４）は、デジタルカメラ１０に内蔵された回路素子としての表示処理部４７及び領域検出部４８を有している。表示処理部４７は、電極基板及びカラーフィルタ基板の各透明電極に電気的に接続されている。また領域検出部４８は、カラーフィルタ基板の各光センサＬＳに電気的に接続されている。
【００９９】
かかる構成において操作スクリーン１６は、画像を表示する際、上述のバッテリを有する電源ブロック、又は制御部２０からライト発光用電力がバックライト４４に供給され、そのライト発光用電力によりバックライト４４を発光させる。
【０１００】
これにより操作スクリーン１６は、この際、バックライト４４の発光により得られる照明光を、導光板４０を介して液晶パネル４１の裏面全体に照射して、当該液晶パネル４１に透過させる。
【０１０１】
この際、操作スクリーン１６は、制御部２０から与えられる撮影状態提示画像データや写真画像データ、動画像データ等の表示画像データを表示処理部４７に取り込む。そして表示処理部４７は、その表示画像データに基づき、液晶パネル４１において電極基板及びカラーフィルタ基板の透明電極を介して液晶層の各画素位置の液晶分子にそれぞれ電圧を印加する。
【０１０２】
これにより操作スクリーン１６は、液晶層の各画素位置の液晶分子の配向を制御して、これら液晶分子の位置を通る（液晶層の裏面側から表面側に透過する）照明光の偏向を変化させる。
【０１０３】
また操作スクリーン１６は、液晶層の各液晶分子の位置を透過した照明光を、カラーフィルタＣＦ１乃至ＣＦ３に通して着色すると共に、液晶パネル４１内の偏光フィルタにより、その着色した照明光を選択的に表示用の光として保護板４２に透過させる。因みに、以下の説明では、液晶パネル４１で生成される表示用の光を、表示光とも呼ぶ。
【０１０４】
このようにして操作スクリーン１６は、液晶層の各画素位置の液晶分子をそれぞれ偏向フィルタ及びカラーフィルタＣＦ１乃至ＣＦ３と共に、画像の画素として機能させて、光センサ内蔵型表示部４３に撮影状態提示画像等を表示することができる。
【０１０５】
ところで、光センサ内蔵型表示部４３に撮影状態提示画像等を表示するための表示光は、バックライト４４により発射された照明光をもとに生成されていることにより、可視光線と共に赤外線を含んでいる。
【０１０６】
図６に示すように、表示光に含まれる赤外線は、保護板４２をその裏面から表面へほぼ垂直に貫くように透過して表示面４３Ａ（すなわち、保護板４２の表面）全体からデジタルカメラ１０の外側に出射している。因みに、以下の説明では、表示光に含まれ、デジタルカメラ１０の外側に出射する赤外線を、出射赤外線とも呼ぶ。
【０１０７】
そして出射赤外線は、表示面４３Ａに操作体がかざされたとき、その操作体の表面で反射して表示面４３Ａ側に戻る。因みに、以下の説明では、操作体の表面で出射赤外線が反射して表示面４３Ａ側に戻る赤外線を、特に反射赤外線とも呼ぶ。
【０１０８】
このため操作スクリーン１６は、表示面４３Ａにかざされた操作体の表面で出射赤外線が反射したとき、その反射により得られる反射赤外線を保護板４２に透過させて取り込むようにして複数の光センサＬＳで受光する。
【０１０９】
また操作スクリーン１６は、複数の光センサＬＳによる反射赤外線の受光結果に基づき、表示面４３Ａで操作体の陰になる領域（すなわち、操作体がかざされた部分を表示面４３Ａに投影したような領域）を、命令入力用のかざし領域として検出する。
【０１１０】
ところで、表示面４３Ａから出射する出射赤外線は、当該表示面４３Ａから離れるほど、光量が減衰する。よって操作体の表面で得られる反射赤外線についても、表示面４３Ａと操作体の表面とが近いほど、表示面４３Ａ側に戻ったときの光量の減衰が少なく、表示面４３Ａと操作体の表面とが離れているほど、表示面４３Ａ側に戻ったときの光量の減衰が大きくなる。
【０１１１】
また操作体は、表示面４３Ａに対しほぼ平行にかざされる場合もあり、斜めにかざされる場合もある。さらに操作体は、ユーザの手（手のひらや指先等）であると、関節や指紋、しわ、部分的な肉付きの違い等により表面は平坦ではなく、大小の起伏を有している。特に操作体がユーザの手（手のひらや指）であると、その端部ほど丸みをおびている。
【０１１２】
このため出射赤外線は、操作体の表面に照射されると、その出射経路を逆に辿るように反射（すなわち、真下に反射）して表示面４３Ａ側に戻る部分があるものの、手の端部等により、操作体の周囲に広がるように斜めに反射して表示面４３Ａ側に戻る部分もある。
【０１１３】
しかしながら、出射赤外線において操作体の周囲に広がるように反射した部分については、表示面４３Ａに操作体が近づくほど、当該操作体の表面での反射位置から表示面４３Ａまでの距離が短くなる。
【０１１４】
その結果、出射赤外線において操作体の周囲に広がるように反射した部分については、光量の減衰を極力低減させて、操作体の真下に、より近い位置の光センサＬＳによって反射赤外線として受光される。
【０１１５】
よって操作スクリーン１６は、かざし操作により表示面４３Ａに操作体が近接されると、当該表示面４３Ａにおいて操作体の陰になっている領域を、かざし領域として検出することができる。
【０１１６】
また出射赤外線において操作体の周囲に広がるように反射した部分については、表示面４３Ａから操作体が離れているほど、当該操作体の表面での反射位置から表示面４３Ａまでの距離が長くなり、又は表示面４３Ａの周辺にまで進み、光量の減衰も大きくなる。
【０１１７】
このため操作スクリーン１６によって検出されるかざし領域は、表示面４３Ａから操作体が離れるほど、表示面４３Ａにおいて操作体の陰になっている実際の領域よりも小さくなる。
【０１１８】
ただし、操作スクリーン１６では、例えば、表示面４３Ａから十数〔cm〕程度離れた操作体の表面で出射赤外線が反射したときでも、光センサＬＳにより、ある程度の光量の反射赤外線を受光し得るように、出射赤外線のもとになる照明光の光量が選定されている。
【０１１９】
よって操作スクリーン１６では、表示面４３Ａから十数〔cm〕程度離れた範囲内で当該表示面４３Ａに操作体が近づけられ、また遠ざけるようにかざし操作されたとき、その操作に応じた、かざし領域の大きさの変化も検出することができる。
【０１２０】
さらに操作スクリーン１６は、例えば、表示面４３  Ａに対し操作体として一方及び他方の手でほぼ同時にかざし操作されたとき、当該表示面４３Ａにおいて一方及び他方の手の陰になっている２つの領域を、それぞれかざし領域として検出することもできる。
【０１２１】
因みに、図７に示すように、出射赤外線は、表示面４３Ａにかざすつもりの操作体が接触した（すなわち、表示面４３Ａが操作体によりタッチされた）ときでも、その操作体の表面で反射し反射赤外線として表示面４３Ａ側に戻る。
【０１２２】
このため操作スクリーン１６は、表示面４３Ａに接触した操作体の表面で出射赤外線が反射したときも、その反射により得られる反射赤外線を保護板４２に透過させて取り込むようにして複数の光センサＬＳで受光する。
【０１２３】
そして操作スクリーン１６は、複数の光センサＬＳによる反射赤外線の受光結果に基づき、表示面４３Ａにおいて、これに接触した操作体の陰になる領域も、命令入力用のかざし領域として検出する。
【０１２４】
図８に示すように、実際に操作スクリーン１６において各画素位置の光センサＬＳは、反射赤外線を受光すると、当該受光した反射赤外線を光電変換して、その反射赤外線の光量に応じたアナログの光電信号を生成する。また各画素位置の光センサＬＳは、反射赤外線を受光してはいないと、値がほぼ「０」でなるアナログの光電信号を生成する。
【０１２５】
よって領域検出部４８においてセンサ走査回路５０は、例えば、図９に示すように全ての画素位置の光センサＬＳを表示面４３Ａの左上隅から右下隅にかけて順次１ラインずつ走査するようにして、これら全ての画素位置の光センサＬＳから光電信号を取り込む。
【０１２６】
このようにしてセンサ走査回路５０は、全ての光センサＬＳからの光電信号の取り込みを、格段的に短い所定周期で繰り返し実行する。そしてセンサ走査回路５０は、このように全ての光センサＬＳから取り込んだ光電信号を解析回路５１に送出する。
【０１２７】
解析回路５１は、センサ走査回路５０から全ての光センサＬＳから取り込まれた複数の光電信号が与えられる毎に、これら複数の光電信号をアナログデジタル変換して、デジタルの複数の受光データを生成する。
【０１２８】
また解析回路５１は、例えば、複数の受光データの値それぞれを、予め選定された閾値と順次比較する。これにより解析回路５１は、その比較結果に基づき、画素位置毎に光センサＬＳが反射赤外線を受光したか否かを示す受光有無データを生成する。
【０１２９】
また解析回路５１は、画素位置毎の受光有無データに基づき、表示面４３Ａ内で反射赤外線を受光した光センサＬＳがまとまっている領域（反射赤外線を受光した光センサＬＳの配置された画素位置が隣接してまとまっている領域）が存在するか否かを検出する。因みに、以下の説明では、表示面４３Ａ内で反射赤外線を受光した光センサＬＳがまとまっている領域を、受光領域とも呼ぶ。
【０１３０】
その結果、解析回路５１は、表示面４３Ａ内で１又は複数の受光領域を検出すると、当該検出した受光領域を、画素位置の座標で示す受光領域データを生成して検出回路５２に送出する。因みに、解析回路５１は、表示面４３Ａ内で受光領域を検出しないときには、検出回路５１に何ら送出しない。
【０１３１】
検出回路５２は、解析回路５１から受光領域データが与えられると、その受光領域データが示す受光領域の個数を検出する。その結果、検出回路５２は、このとき検出された受光領域が１つ以上であると、その受光領域を、命令入力用のかざし領域とする。
【０１３２】
この際、検出回路５２は、かざし領域の面積（以下、これを領域面積とも呼ぶ）を、例えば、当該かざし領域内に位置する画素の個数として検出する。また検出回路５２は、かざし領域の例えば、重心の位置（以下、これを領域重心位置とも呼ぶ）を、画素位置の座標として検出する。
【０１３３】
さらに検出回路５２は、かざし領域において表示面水平方向の右端の位置及び左端の位置（すなわち、表示面水平方向の最も右はじの位置及び最も左はじの位置）をそれぞれ画素位置の座標として検出する。因みに、以下の説明では、かざし領域の右端の位置を領域右端位置とも呼び、当該かざし領域の左端の位置を、領域左端位置とも呼ぶ。
【０１３４】
さらに検出回路５２は、かざし領域において表示面垂直方向の上端の位置及び下端の位置（すなわち、表示面垂直方向の最も上はじの位置及び最も下はじの位置）をそれぞれ画素位置の座標として検出する。
【０１３５】
因みに、以下の説明では、かざし領域の上端の位置を領域上端位置とも呼び、当該かざし領域の下端の位置を、領域下端位置とも呼ぶ。また、以下の説明では、かざし領域について検出した領域重心位置、領域面積、領域右端位置、領域左端位置、領域上端位置、領域下端位置を特に区別する必要のない場合、これらをまとめて領域情報とも呼ぶ。さらに、以下の説明では、領域重心位置、領域右端位置、領域左端位置、領域上端位置、領域下端位置を特に区別する必要のない場合、これらをまとめて領域位置とも呼ぶ。
【０１３６】
そして検出回路５２は、かざし領域について検出した、領域情報（領域重心位置、領域面積、領域右端位置、領域左端位置、領域上端位置、領域下端位置）を領域データ生成回路５３に送出する。
【０１３７】
ただし、検出回路５２は、受光領域データが示す受光領域が複数存在すると、当該複数の受光領域の面積を、それぞれ当該受光領域内に位置する画素の個数として検出する。そして検出回路５２は、予め選定された検出個数（例えば、５個）を上限として、最も面積の大きい受光領域から順次面積の小さい受光領域を選択して命令入力用のかざし領域とする。
【０１３８】
また検出回路５２は、この際、個々のかざし領域について、上述と同様に領域位置を検出する。そして検出回路５２は、このように、かざし領域毎の領域情報（すなわち、領域重心位置、領域面積（この場合は受光領域として検出していた面積）と、領域右端位置、領域左端位置、領域上端位置、領域下端位置）を領域データ生成回路５３に送出する。
【０１３９】
領域データ生成回路５３は、検出回路５２から、１又は複数のかざし領域の領域情報が与えられると、その領域情報を用いて図１０に示すような領域データを生成する。この際、領域データ生成回路５３は、領域データに、検出されたかざし領域の個数を示す個数情報を格納すると共に、当該検出されたかざし領域を識別するための領域識別情報を生成して格納する。
【０１４０】
因みに、領域データ生成回路５３は、領域識別情報を、例えば、最も領域面積の大きいかざし領域から順次領域面積の小さいかざし領域に順番に付した番号として生成している。
【０１４１】
また領域データ生成回路５３は、領域データに、かざし領域毎の領域情報（領域重心位置、領域面積、領域右端位置、領域左端位置、領域上端位置、領域下端位置）を、当該かざし領域の領域識別情報に対応付けて格納する。このようにして領域データ生成回路５３は、領域データを生成すると、当該生成した領域データを制御部２０に送出する。
【０１４２】
ところで、デジタルカメラ１０では、例えば、表示面４３Ａに操作体としての指（指の腹）をかざすようなかざし操作を、命令入力用のかざし操作として採用している。またデジタルカメラ１０は、後述するように、表示面４３Ａに指をかざすようなかざし操作以外にも、表示面４３Ａの比較的広い種々の領域に操作体をかざすようなかざし操作も、命令入力用として採用している。
【０１４３】
このため領域データ生成回路５３は、複数のかざし領域が検出されていると、例えば、領域データに、最も領域面積の大きいかざし領域の領域情報から順次領域面積の小さいかざし領域の領域情報を順番に並べるように格納している。
【０１４４】
これにより領域データ生成回路５３は、制御部２０に対し、領域データから最も領域面積の大きいかざし領域の領域情報を最初に取り出させて命令判別処理に使用させ、かざし操作によって入力された命令を、極力迅速に判別させ得るようになされている。
【０１４５】
このようにして図１１に示すように、操作スクリーン１６は、かざし操作が行われたとき、表示面４３Ａ内の１又は複数のかざし領域５５及び５６を、それぞれ領域重心位置Ｐ１及びＰ２や、領域面積Ａｒｅａ１及びＡｒｅａ２等の領域情報として検出する。
【０１４６】
また操作スクリーン１６は、上述のように全ての光センサＬＳからの光電信号の取り込みを、格段的に短い所定周期で繰り返し実行する。よって操作スクリーン１６は、例えば、表示面４３Ａに操作体が徐々に近づけられたときや徐々に遠ざけられたとき、これに応じて例えば徐々に大きさの変化するかざし領域を領域情報として順次検出することもできる。
【０１４７】
そして操作スクリーン１６は、このような、かざし領域の検出結果を領域データとして制御部２０に通知することで、当該制御部２０に、表示面４３Ａに対して行われたかざし操作を的確に判別させることができる。
【０１４８】
すなわち、操作スクリーン１６は、制御部２０に対し、命令入力用に操作体が表示面４３Ａのどの部分にかざされたのかや、どのようにかざされたのか（徐々に近づける又は遠ざける）を的確に判別させることができる。
【０１４９】
［１−５  入力判別処理］
次いで、制御部２０が領域データに基づき、かざし操作によって入力された命令を判別するために実行する命令判別処理について説明する。
【０１５０】
制御部２０は、例えば、内部のメモリに、かざし操作によって入力される命令を判別するために用いるデータテーブル（以下、これを判別用テーブルとも呼ぶ）を予め記憶している。
【０１５１】
判別用テーブルは、例えば、動作モード（撮影モードや再生モード、メニュー表示モード等）毎に生成されている。そして動作モード毎の判別用テーブルには、当該動作モードで入力可能な命令と、その命令が入力されたと判別するための入力判別条件とが対応付けられて格納されている。
【０１５２】
実際に制御部２０は、メニュー表示モード時、操作スクリーン１６（すなわち、表示面４３Ａ）に、それぞれ異なるメニュー項目を示し、操作体としての指やスタイラスペンによるかざし操作で指示可能な複数のアイコンを表示する。
【０１５３】
このためメニュー表示モード用の判別用テーブルには、アイコンの指示により入力可能な命令（アイコンの表示領域に割り当てられた命令）と、その命令が入力されたと判別するための入力判別条件を示す入力判別条件情報とが対応付けられて格納されている。
【０１５４】
この場合、入力判別条件情報には、例えば、アイコンの表示領域を画素位置の座標で示す表示領域情報が格納されている。また入力判別条件情報には、領域重点位置が、その表示領域情報が示す表示領域内であり、かつ領域面積が予め選定された最大面積以下であることを示す条件情報も格納されている。因みに、最大面積は、画素の個数で示されている。
【０１５５】
よって制御部２０は、メニュー表示モード時、操作スクリーン１６から領域データが与えられると、その領域データに基づき、このとき検出されたかざし領域の個数を判別する。
【０１５６】
制御部２０は、このとき検出されたかざし領域が１個であると、領域データから、そのかざし領域を示す領域情報を取り出す。また制御部２０は、このとき検出されたかざし領域が複数であると、領域データから、領域面積の最も大きい１個のかざし領域を示す領域情報を取り出す。
【０１５７】
また制御部２０は、メニュー表示モード用の判別用テーブルから複数の入力判別条件情報を読み出しながら、当該読み出した入力判別条件情報の内容を、領域情報に含まれる領域重心位置や領域面積と順次比較する。
【０１５８】
その結果、制御部２０は、領域重心位置を含む表示領域を示し、かつ領域面積以上の最大面積を示す入力判別条件情報が存在すると、その入力判別条件情報に対応する命令が、このときかざし操作により入力された命令であると判別する。
【０１５９】
このようにして制御部２０は、かざし操作によって入力された命令を判別すると、当該判別した命令に応じて、撮影条件の設定や、特定の処理の実行の有無の設定のような種々の処理を実行する。
【０１６０】
これに対し制御部２０は、領域重心位置を含む範囲、及び又は領域面積以上の面積最大値等を示す入力判別条件情報が存在しないと、このとき何ら命令は入力されていないと判別する。このようにして制御部２０は、かざし操作によるアイコンの指示によって入力される命令を判別する。
【０１６１】
ところで、図１２に示すように、デジタルカメラ１０では、撮影モード時にかざし操作によって命令を入力するための命令入力領域として、表示面４３Ａ全体が命令入力領域ＣＩＡ１に設定されている。
【０１６２】
またデジタルカメラ１０では、撮影モード時にかざし操作によって命令を入力するための命令入力領域として、表示面４３Ａにおいて表示面水平方向の右半分及び左半分もそれぞれ命令入力領域ＣＩＡ２及びＣＩＡ３に設定されている。
【０１６３】
さらにデジタルカメラ１０では、撮影モード時にかざし操作によって命令を入力するための命令入力領域として、表示面４３Ａにおいて表示面垂直方向の上半分及び下半分もそれぞれ命令入力領域ＣＩＡ４及びＣＩＡ５に設定されている。
【０１６４】
因みに、以下の説明では、撮影モード時の表示面４３Ａ全体でなる命令入力領域ＣＩＡ１を、全面入力領域ＣＩＡ１とも呼ぶ。また、以下の説明では、撮影モード時の表示面４３Ａ右半分でなる命令入力領域ＣＩＡ２を、右入力領域ＣＩＡ２とも呼び、表画面４３Ａ左半分でなる命令入力領域ＣＩＡ３を、左入力領域ＣＩＡ３とも呼ぶ。
【０１６５】
さらに、以下の説明では、撮影モード時の表示面４３Ａ上半分でなる命令入力領域ＣＩＡ４を、上入力領域ＣＩＡ４とも呼び、表示面４３Ａ下半分でなる命令入力領域ＣＩＡ５を、下入力領域ＣＩＡ５とも呼ぶ。
【０１６６】
そしてデジタルカメラ１０では、例えば、撮影モード時に入力可能な命令として、全面入力領域ＣＩＡ１に写真撮影用の撮影命令が割り当てられている。またデジタルカメラ１０では、例えば、撮影モード時に入力可能な命令として、右入力領域ＣＩＡ２に撮影範囲を広げるためのズーム命令が割り当てられている。
【０１６７】
さらにデジタルカメラ１０では、例えば、撮影モード時に入力可能な命令として、左入力領域ＣＩＡ３に撮影範囲を狭めるためのズーム命令が割り当てられている。因みに、以下の説明では、撮影範囲を広げるためのズーム命令を、ズームアウト命令とも呼び、撮影範囲を狭めるためのズーム命令を、ズームイン命令とも呼ぶ。
【０１６８】
さらにデジタルカメラ１０では、例えば、撮影モード時に入力可能な命令として、上入力領域ＣＩＡ４に動画撮影用の記録開始命令が割り当てられると共に、下入力領域ＣＩＡ５に動画撮影用の記録終了命令が割り当てられている。
【０１６９】
よって撮影モード用の判別用テーブルには、これら命令入力領域に割り当てられた命令と、その命令が入力されたと判別するための入力判別条件を示す入力判別条件情報とが対応付けられて格納されている。
【０１７０】
ここで、撮影命令に対応付けられた入力判別条件情報には、例えば、領域面積が予め選定された第１の面積閾値以上であることを示す条件情報が格納されている。また撮影命令に対応付けられた入力判別条件情報には、初期状態として撮影モード全般に亘り撮影命令の入力が有効であることを示す入力有無情報も格納されている。
【０１７１】
因みに、第１の面積閾値は、画素の個数で示されており、全面入力領域ＣＩＡ１の面積に応じて、表示面４３Ａのほぼ全面に亘って操作体がかざされたことを検出し得るように選定されている。
【０１７２】
ズームアウト命令に対応付けられた入力判別条件情報には、例えば、右入力領域ＣＩＡ２を画素位置の座標で示す表示領域情報が格納されている。また、その入力判別条件情報には、例えば、領域位置（領域重心位置、領域右端位置、領域左端位置、領域上端位置、領域下端位置）が右入力領域ＣＩＡ２内であり、かつ領域面積が予め選定された第２の面積閾値以上であることを示す条件情報も格納されている。
【０１７３】
さらにズームアウト命令に対応付けられた入力判別条件情報には、初期状態として撮影モード全般に亘りズームアウト命令の入力が有効であることを示す入力有無情報も格納されている。
【０１７４】
因みに、第２の面積閾値は、画素の個数で示されており、表示面４３Ａ全面のほぼ半分の面積に応じて、表示面４３Ａのほぼ半分に操作体がかざされたことを検出し得るように選定されている。
【０１７５】
ズームイン命令に対応付けられた入力判別条件情報には、例えば、左入力領域ＣＩＡ３を画素位置の座標で示す表示領域情報が格納されている。またズームイン命令に対応付けられた入力判別条件情報には、例えば、領域位置が左入力領域ＣＩＡ３内であり、かつ領域面積が第２の面積閾値以上であることを示す条件情報も格納されている。
【０１７６】
さらにズームイン命令に対応付けられた入力判別条件情報には、初期状態として撮影モード全般に亘りズームイン命令の入力が有効であることを示す入力有無情報も格納されている。
【０１７７】
記録開始命令に対応付けられた入力判別条件情報には、例えば、上入力領域ＣＩＡ４を画素位置の座標で示す表示領域情報が格納されている。また記録開始命令に対応付けられた入力判別条件情報には、例えば、領域位置が上入力領域ＣＩＡ４内であり、かつ領域面積が第２の面積閾値以上であることを示す条件情報も格納されている。
【０１７８】
記録終了命令に対応付けられた入力判別条件情報には、例えば、下入力領域ＣＩＡ５を画素位置の座標で示す表示領域情報が格納されている。また記録終了命令に対応付けられた入力判別条件情報には、例えば、領域位置が下入力領域ＣＩＡ５内であり、かつ領域面積が第２の面積閾値以上であることを示す条件情報も格納されている。
【０１７９】
さらにデジタルカメラ１０では、例えば、撮影モード時に入力可能な命令として、かざし操作により指定された位置（例えば、領域重心位置）にフォーカスや露出等を合せて写真撮影の準備を整える撮影準備命令がある。
【０１８０】
よって撮影モード用の判別用テーブルには、その撮影準備命令と、当該撮影準備命令が入力されたと判別するための入力判別条件を示す入力判別条件情報とが対応付けられて格納されている。
【０１８１】
ここで、撮影準備命令に対応付けられた入力判別条件情報には、例えば、領域面積が予め選定された第３の面積閾値以下であることを示す条件情報が格納されている。また撮影準備命令に対応付けられた入力判別条件情報には、撮影モードにおいて動画撮影の間を除き撮影準備命令の入力が有効であることを示す入力有無情報も格納されている。
【０１８２】
因みに、第３の面積閾値は、画素の個数で示されており、例えば、人の第二指の腹の部分の平均的な大きさに応じて、表示面４３Ａに操作体としての指先がかざされたことを検出し得るように選定されている。
【０１８３】
さらにデジタルカメラ１０では、例えば、撮影モード時に入力可能な命令として、撮影状態提示画像に重ねて表示している当該デジタルカメラ１０の使用状況や動画撮影の状況を示すアイコンやテキストを移動させるための移動命令がある。
【０１８４】
よって撮影モード用の判別用テーブルには、その移動命令と、当該移動命令が入力されたと判別するための入力判別条件を示す入力判別条件情報とが対応付けられて格納されている。
【０１８５】
ここで、移動命令に対応付けられた入力判別条件情報には、例えば、領域面積が予め選定された下限閾値以上でかつ上限閾値以下であることを示す条件情報が格納されている。
【０１８６】
因みに、入力判別条件が示す上限閾値及び下限閾値は、画素の個数で示されており、例えば、下限閾値は、上述の第３の面積閾値よりも大きい値に選定され、上限閾値は、上述の第２の面積閾値よりも小さい値に選定されている。
【０１８７】
さらにデジタルカメラ１０では、例えば、撮影モードの特に動画撮影の間に入力可能な命令として、記録中の動画像を徐々に見えなく（フェードアウト）し、また徐々に見えるように（フェードイン）するフェード命令がある。
【０１８８】
よって撮影モード用の判別用テーブルには、そのフェード命令と、当該フェード命令が入力されたと判別するための入力判別条件を示す入力判別条件情報とが対応付けられて格納されている。
【０１８９】
この場合、フェード命令に対応付けられた入力判別条件情報には、例えば、動画撮影時に１又は２個のかざし領域の領域面積が予め選定された第４の面積閾値以上であることを示す条件情報が格納されている。
【０１９０】
またフェード命令に対応付けられた入力判別条件情報には、初期状態として撮影モード全般に亘り当該フェード命令の入力が無効であることを示す入力有無情報も格納されている。因みに、入力判別条件が示す第４の面積閾値は、画素の個数で示されており、例えば、上述の第２の面積閾値よりも小さい値に選定されている。
【０１９１】
そして制御部２０は、例えば、上述のメニュー表示モード時、かざし操作によるアイコンの指示に応じて、操作スクリーン１６に表示した所定の設定画像上で、フェード命令の入力を有効にするか否かを選択させ得るようにしている。
【０１９２】
制御部２０は、フェード命令の入力を無効にしている状態で、その入力を有効にすることが選択されると、撮影モード用の判別用テーブルにおいてフェード命令に対応する入力有無情報の内容を、動画撮影の間、その入力を有効にすることを示すように変更する。これにより制御部２０は、動画撮影の間、フェード命令の入力を有効にするように設定する。
【０１９３】
制御部２０は、フェード命令の入力を有効にしても、後にその入力を無効にすることが選択されると、撮影モード用の判別用テーブルにおいてフェード命令に対応する入力有無情報の内容を、撮影モード全般に亘りその入力を無効にすることを示すように変更する。これにより制御部２０は、撮影モード全般に亘りフェード命令の入力を無効にするように設定する。
【０１９４】
ただし、制御部２０は、後述するように、例えば、フェード命令を表示面４３Ａの全面入力領域ＣＩＡ１や、右入力領域ＣＩＡ２、左入力領域ＣＩＡ３等に操作体をかざすようなかざし操作によって入力させるようにしている。
【０１９５】
すなわち、フェード命令を入力するためのかざし操作は、撮影命令やズームアウト命令、ズームイン命令を入力するためのかざし操作と区別し難くなる可能性がある。
【０１９６】
このため制御部２０は、フェード命令の入力を有効にするように設定すると、撮影モード用の判別用テーブルにおいて撮影命令に対応する入力有無情報の内容を、動画撮影の間、当該撮影命令の入力を無効にすることを示すように変更する。これにより制御部２０は、動画撮影の間、撮影命令の入力を無効にするように設定する。
【０１９７】
また制御部２０は、フェード命令の入力を有効にするように設定すると、撮影モード用の判別用テーブルにおいてズームアウト命令に対応する入力有無情報の内容も、動画撮影の間、当該ズームアウト命令の入力を無効にすることを示すように変更する。これにより制御部２０は、動画撮影の間、ズームアウト命令の入力を無効にするように設定する。
【０１９８】
さらに制御部２０は、フェード命令の入力を有効にするように設定すると、撮影モード用の判別用テーブルにおいてズームイン命令に対応する入力有無情報の内容も、動画撮影の間、当該ズームイン命令の入力を無効にすることを示すように変更する。これにより制御部２０は、動画撮影の間、ズームイン命令の入力を無効にするように設定する。
【０１９９】
これに対し制御部２０は、フェード命令の入力を無効にするように設定すると、これに応じて、撮影モード用の判別用テーブルにおいて撮影命令に対応する入力有無情報の内容を、撮影モード全般に亘りその入力を有効にすることを示すように変更する。これにより制御部２０は、撮影モード全般に亘り撮影命令の入力を有効にするように設定する。
【０２００】
また制御部２０は、フェード命令の入力を無効にするように設定すると、撮影モード用の判別用テーブルにおいてズームアウト命令に対応する入力有無情報の内容も、撮影モード全般に亘りズームアウト命令の入力を有効にすることを示すように変更する。これにより制御部２０は、撮影モード全般に亘りズームアウト命令の入力を有効にするように設定する。
【０２０１】
さらに制御部２０は、フェード命令の入力を無効にするように設定すると、撮影モード用の判別用テーブルにおいてズームイン命令に対応する入力有無情報の内容も、撮影モード全般に亘り当該ズームイン命令の入力を有効にすることを示すように変更する。これにより制御部２０は、撮影モード全般に亘りズームイン命令の入力を有効にするように設定する。
【０２０２】
このようにして制御部２０は、フェード命令の入力を無効にするように設定すると、撮影モード全般に亘り撮影命令、撮影準備命令、ズームアウト命令及びズームイン命令の入力を有効にするように設定する。
【０２０３】
また制御部２０は、フェード命令の入力を有効にするように設定すると、動画撮影の間、撮影命令、撮影準備命令、ズームアウト命令及びズームイン命令の入力を無効にするように設定する。
【０２０４】
そして制御部２０は、撮影モード時、動画撮影してはいない状態で操作スクリーン１６から領域データが与えられると、その領域データに基づき、このとき検出されたかざし領域の個数を判別する。
【０２０５】
制御部２０は、このとき検出されたかざし領域が１個であると、領域データから、そのかざし領域を示す領域情報を取り出す。また制御部２０は、このとき検出されたかざし領域が複数であると、領域データから、領域面積が最も大きい１個のかざし領域を示す領域情報を取り出す。
【０２０６】
この際、制御部２０は、撮影モード用の判別用テーブルから例えば、撮影準備命令に対応する入力判別条件情報を読み出す。そして制御部２０は、領域情報に含まれる領域面積を、撮影準備命令に対応する入力判別条件情報の内容と比較する。
【０２０７】
その結果、制御部２０は、領域面積が第３の面積閾値以下であると、このときかざし操作により入力された命令が、撮影準備命令であると判別する。このようにして制御部２０は、かざし操作により撮影準備命令が入力されたことを判別すると、その撮影準備命令の入力に応じて撮影準備処理を実行する。
【０２０８】
これに対し制御部２０は、領域面積が第３の面積閾値よりも大きいと、撮影準備命令は入力されていないと判別する。この際、制御部２０は、撮影モード用の判別用テーブルから例えば、撮影命令に対応する入力判別条件情報を読み出す。そして制御部２０は、領域情報に含まれる領域面積を、撮影命令に対応する入力判別条件情報の内容と比較する。
【０２０９】
その結果、制御部２０は、領域面積が第１の面積閾値以上であると、このときかざし操作により入力された命令が、撮影命令であると判別する。このようにして制御部２０は、かざし操作により撮影命令が入力されたことを判別すると、その撮影命令の入力に応じて写真撮影処理を実行する。
【０２１０】
これに対し制御部２０は、領域面積が第１の面積閾値よりも小さいと、撮影命令は入力されていないと判別する。この際、制御部２０は、撮影モード用の判別用テーブルから例えば、ズームイン命令に対応する入力判別条件情報を読み出す。
【０２１１】
そして制御部２０は、領域情報に含まれる領域面積、領域重心位置、領域右端位置、領域左端位置、領域上端位置、領域下端位置を、ズームイン命令に対応する入力判別条件情報の内容と比較する。
【０２１２】
その結果、制御部２０は、領域位置が左入力領域ＣＩＡ３内であり、かつ領域面積が第２の面積閾値以上であると、このときかざし操作により入力された命令が、ズームイン命令であると判別する。このようにして制御部２０は、かざし操作によりズームイン命令が入力されたことを判別すると、そのズームイン命令の入力に応じてズーム処理を実行する。
【０２１３】
これに対し制御部２０は、領域面積が第２の面積閾値以上であるものの、領域重心位置、領域右端位置、領域左端位置、領域上端位置、領域下端位置の少なくとも１つ以上が左入力領域ＣＩＡ３外であると、ズームイン命令は入力されていないと判別する。
【０２１４】
この際、制御部２０は、撮影モード用の判別用テーブルから例えば、ズームアウト命令に対応する入力判別条件情報を読み出す。そして制御部２０は、領域情報に含まれる領域位置を、ズームアウト命令に対応する入力判別条件情報の内容と比較する。
【０２１５】
その結果、制御部２０は、領域位置が右入力領域ＣＩＡ２内であると、このときかざし操作により入力された命令が、ズームアウト命令であると判別する。このようにして制御部２０は、かざし操作によりズームアウト命令が入力されたことを判別すると、そのズームアウト命令の入力に応じてズーム処理を実行する。
【０２１６】
これに対し制御部２０は、領域重心位置、領域右端位置、領域左端位置、領域上端位置、領域下端位置の少なくとも１つ以上が右入力領域ＣＩＡ２外であると、ズームアウト命令は入力されていないと判別する。
【０２１７】
この際、制御部２０は、撮影モード用の判別用テーブルから例えば、記録開始命令に対応する入力判別条件情報を読み出す。そして制御部２０は、領域情報に含まれる領域位置を、記録開始命令に対応する入力判別条件情報の内容と比較する。
【０２１８】
その結果、制御部２０は、領域位置が上入力領域ＣＩＡ４内であると、このときかざし操作により入力された命令が、記録開始命令であると判別する。このようにして制御部２０は、かざし操作により記録開始命令が入力されたことを判別すると、その記録開始命令の入力に応じて動画撮影処理を開始（すなわち、動画撮影の記録を開始）する。
【０２１９】
ただし、制御部２０は、領域重心位置、領域右端位置、領域左端位置、領域上端位置、領域下端位置の少なくとも１つ以上が上入力領域ＣＩＡ４外であると、このとき命令が何ら入力されていないと判別する。
【０２２０】
ところで、制御部２０は、領域面積が第２の面積閾値より小さいと、撮影モード用の判別用テーブルから例えば、移動命令に対応する入力判別条件情報を読み出す。そして制御部２０は、領域情報に含まれる領域面積を、移動命令に対応する入力判別条件情報の内容と比較する。
【０２２１】
その結果、制御部２０は、領域面積が下限閾値以上でかつ上限閾値以下であると、このときかざし操作により入力された命令が、移動命令であると判別する。このようにして制御部２０は、かざし操作により移動命令が入力されたことを判別すると、その移動命令の入力に応じて移動処理を実行する。
【０２２２】
ただし、制御部２０は、領域面積が下限閾値より小さい、又は上限閾値より大きいと、このとき命令が何ら入力されていないと判別する。
【０２２３】
このようにして制御部２０は、撮影モード時、動画撮影を開始するまでの間、かざし操作によって、撮影準備命令、撮影命令、ズームイン命令、ズームアウト命令、移動命令、記録開始命令の何れが入力されたのかを適宜判別する。
【０２２４】
制御部２０は、動画撮影処理を開始すると、フェード命令の入力が有効であるか否かを判別する。その結果、制御部２０は、フェード命令の入力が無効であると、操作スクリーン１６により、かざし操作が検出されることを待ち受ける。
【０２２５】
そして制御部２０は、動画撮影時、操作スクリーン１６から領域データが与えられると、その領域データに基づき、このとき検出されたかざし領域の個数を判別する。制御部２０は、このとき検出されたかざし領域が１個であると、領域データから、そのかざし領域を示す領域情報を取り出す。また制御部２０は、このとき検出されたかざし領域が複数であると、領域データから、領域面積が最も大きい１個のかざし領域を示す領域情報を取り出す。
【０２２６】
この際、制御部２０は、撮影モード用の判別用テーブルから例えば、撮影命令に対応する入力判別条件情報を読み出す。そして制御部２０は、領域情報に含まれる領域面積を、撮影命令に対応する入力判別条件情報の内容と比較する。
【０２２７】
その結果、制御部２０は、領域面積が第１の面積閾値以上であると、このときかざし操作により入力された命令が、撮影命令であると判別する。このようにして制御部２０は、かざし操作により撮影命令が入力されたことを判別すると、動画撮影処理を実行しながら、その撮影命令の入力に応じて写真撮影処理も実行する。
【０２２８】
これに対し制御部２０は、領域面積が第１の面積閾値よりも小さいと、撮影命令は入力されていないと判別する。この際、制御部２０は、撮影モード用の判別用テーブルから例えば、ズームイン命令に対応する入力判別条件情報を読み出す。
【０２２９】
そして制御部２０は、領域情報に含まれる領域面積、領域重心位置、領域右端位置、領域左端位置、領域上端位置、領域下端位置を、ズームイン命令に対応する入力判別条件情報の内容と比較する。
【０２３０】
その結果、制御部２０は、領域位置が左入力領域ＣＩＡ３内であり、かつ領域面積が第２の面積閾値以上であると、このときかざし操作により入力された命令が、ズームイン命令であると判別する。
【０２３１】
このようにして制御部２０は、かざし操作によりズームイン命令が入力されたことを判別すると、動画撮影処理を実行しながら、そのズームイン命令の入力に応じてズーム処理を実行する。
【０２３２】
これに対し制御部２０は、領域面積が第２の面積閾値以上であるものの、領域重心位置、領域右端位置、領域左端位置、領域上端位置、領域下端位置の少なくとも１つ以上が左入力領域ＣＩＡ３外であると、ズームイン命令は入力されていないと判別する。
【０２３３】
この際、制御部２０は、撮影モード用の判別用テーブルから例えば、ズームアウト命令に対応する入力判別条件情報を読み出す。そして制御部２０は、領域情報に含まれる領域位置を、ズームアウト命令に対応する入力判別条件情報の内容と比較する。
【０２３４】
その結果、制御部２０は、領域位置が右入力領域ＣＩＡ２内であると、このときかざし操作により入力された命令が、ズームアウト命令であると判別する。このようにして制御部２０は、かざし操作によりズームアウト命令が入力されたことを判別すると、動画撮影処理を実行しながら、そのズームアウト命令の入力に応じてズーム処理を実行する。
【０２３５】
これに対し制御部２０は、領域重心位置、領域右端位置、領域左端位置、領域上端位置、領域下端位置の少なくとも１つ以上が右入力領域ＣＩＡ２外であると、ズームアウト命令は入力されていないと判別する。
【０２３６】
この際、制御部２０は、撮影モード用の判別用テーブルから例えば、記録終了命令に対応する入力判別条件情報を読み出す。そして制御部２０は、領域情報に含まれる領域位置を、記録終了命令に対応する入力判別条件情報の内容と比較する。
【０２３７】
その結果、制御部２０は、領域位置が下入力領域ＣＩＡ５内であると、このときかざし操作により入力された命令が、記録終了命令であると判別する。このようにして制御部２０は、かざし操作により記録終了命令が入力されたことを判別すると、その記録終了命令の入力に応じて動画撮影処理を終了（すなわち、動画撮影の記録を終了）する。
【０２３８】
ただし、制御部２０は、領域重心位置、領域右端位置、領域左端位置、領域上端位置、領域下端位置の少なくとも１つ以上が下入力領域ＣＩＡ５外であると、このとき命令が何ら入力されていないと判別する。
【０２３９】
ところで、制御部２０は、領域面積が第２の面積閾値より小さいと、撮影モード用の判別用テーブルから例えば、移動命令に対応する入力判別条件情報を読み出す。そして制御部２０は、領域情報に含まれる領域面積を、移動命令に対応する入力判別条件情報の内容と比較する。
【０２４０】
その結果、制御部２０は、領域面積が下限閾値以上でかつ上限閾値以下であると、このときかざし操作により入力された命令が、移動命令であると判別する。このようにして制御部２０は、かざし操作により移動命令が入力されたことを判別すると、動画撮影処理を実行しながら、その移動命令の入力に応じて移動処理を実行する。
【０２４１】
ただし、制御部２０は、領域面積が下限閾値より小さい、又は上限閾値より大きいと、このとき命令が何ら入力されていないと判別する。
【０２４２】
このようにして制御部２０は、動画撮影時、フェード命令の入力が無効であると、かざし操作によって、撮影命令、ズームイン命令、ズームアウト命令、移動命令、記録終了命令の何れが入力されたのかを適宜判別する。
【０２４３】
また制御部２０は、動画撮影処理を開始して、フェード命令の入力が有効であるか否かを判別した結果、フェード命令の入力が有効であると、このときも操作スクリーン１６により、かざし操作が検出されることを待ち受ける。
【０２４４】
そして制御部２０は、動画撮影時、操作スクリーン１６から領域データが与えられると、その領域データに基づき、このとき検出されたかざし領域の個数を判別する。制御部２０は、このとき検出されたかざし領域が１個であると、領域データから、そのかざし領域を示す領域情報を取り出す。
【０２４５】
この際、制御部２０は、撮影モード用の判別用テーブルから例えば、撮影モード用の判別用テーブルから例えば、記録終了命令に対応する入力判別条件情報を読み出す。
【０２４６】
そして制御部２０は、領域情報に含まれる領域面積、領域重心位置、領域右端位置、領域左端位置、領域上端位置、領域下端位置を、記録終了命令に対応する入力判別条件情報の内容と比較する。
【０２４７】
その結果、制御部２０は、領域位置が下入力領域ＣＩＡ５内であり、かつ領域面積が第２の面積閾値以上であると、このときかざし操作により入力された命令が、記録終了命令であると判別する。
【０２４８】
このようにして制御部２０は、かざし操作により記録終了命令が入力されたことを判別すると、その記録終了命令の入力に応じて動画撮影処理を終了（すなわち、動画撮影の記録を終了）する。
【０２４９】
これに対し制御部２０は、領域重心位置、領域右端位置、領域左端位置、領域上端位置、領域下端位置の少なくとも１つ以上が下入力領域ＣＩＡ５外、及び又は領域面積が第２の面積閾値より小さいと、記録終了命令は入力されていないと判別する。
【０２５０】
制御部２０は、このように記録終了命令は入力されていないと判別すると、撮影モード用の判別用テーブルから例えば、フェード命令に対応する入力判別条件情報を読み出す。そして制御部２０は、領域情報に含まれる領域面積を、フェード命令に対応する入力判別条件情報の内容と比較する。
【０２５１】
その結果、制御部２０は、領域面積が第４の面積閾値以上であると、このときかざし操作により入力された命令が、フェード命令であると判別する。このようにして制御部２０は、かざし操作によりフェード命令が入力されたことを判別すると、そのフェード命令の入力に応じてフェード処理を実行する。ただし、制御部２０は、領域面積が第４の面積閾値よりも小さいと、このとき命令が何ら入力されていないと判別する。
【０２５２】
また制御部２０は、動画撮影時、フェード命令の入力が有効な状態で、操作スクリーン１６により少なくとも２個以上のかざし領域が検出されると、このとき与えられた領域データから、最も大きいかざし領域を示す領域情報を取り出す。
【０２５３】
この際、制御部２０は、撮影モード用の判別用テーブルから例えば、撮影モード用の判別用テーブルから例えば、記録終了命令に対応する入力判別条件情報を読み出す。
【０２５４】
そして制御部２０は、領域情報に含まれる領域面積、領域重心位置、領域右端位置、領域左端位置、領域上端位置、領域下端位置を、記録終了命令に対応する入力判別条件情報の内容と比較する。
【０２５５】
その結果、制御部２０は、領域位置が下入力領域ＣＩＡ５内であり、かつ領域面積が第２の面積閾値以上であると、このときかざし操作により入力された命令が、記録終了命令であると判別する。
【０２５６】
このようにして制御部２０は、かざし操作により記録終了命令が入力されたことを判別すると、その記録終了命令の入力に応じて動画撮影処理を終了（すなわち、動画撮影の記録を終了）する。
【０２５７】
これに対し制御部２０は、領域重心位置、領域右端位置、領域左端位置、領域上端位置、領域下端位置の少なくとも１つ以上が下入力領域ＣＩＡ５外、及び又は領域面積が第２の面積閾値より小さいと、記録終了命令は入力されていないと判別する。
【０２５８】
この際、制御部２０は、このとき操作スクリーン１６から与えられていた領域データから、最も大きいかざし領域の次に大きいかざし領域を示す領域情報を追加で取り出す。また制御部２０は、撮影モード用の判別用テーブルから例えば、フェード命令に対応する入力判別条件情報を読み出す。
【０２５９】
そして制御部２０は、２個の領域情報それぞれに含まれる領域面積を、フェード命令に対応する入力判別条件情報の内容と比較する。その結果、制御部２０は、少なくとも１個の領域面積が第４の面積閾値以上であると、このときかざし操作により入力された命令が、フェード命令であると判別する。
【０２６０】
このようにして制御部２０は、かざし操作によりフェード命令が入力されたことを判別すると、そのフェード命令の入力に応じてフェード処理を実行する。ただし、制御部２０は、２個の領域面積の何れもが第４の面積閾値より小さいと、このとき命令が何ら入力されていないと判別する。
【０２６１】
このようにして制御部２０は、動画撮影時、フェード命令の入力が有効であると、かざし操作によって、記録終了命令、フェード命令の何れが入力されたのかを適宜判別する。
【０２６２】
［１−６  撮影制御処理］
次いで、制御部２０が、撮影モード時に、上述したようにかざし操作によって入力された命令を判別し、その判別した命令に応じて撮影を制御する撮影制御処理について説明する。
【０２６３】
図１３に示すように、制御部２０は、動画撮影の間を除き操作スクリーン１６に撮影状態提示画像を表示した状態で、被写体（人物の顔）に例えば、操作体としての指先をかざすようなかざし操作が行われて撮影準備命令が入力されると、撮影準備処理を実行する。
【０２６４】
この際、制御部２０は、例えば、ドライバ２５を介して光学ユニット２３を駆動制御する。これにより制御部２０は、撮影状態提示画像が示す撮影範囲の中で、領域重心位置に対応する部分（かざし操作によって指定された人物の顔のような特定の部分）のフォーカスや露出等を調整するようにして写真撮影の準備を整える。
【０２６５】
そして制御部２０は、このように写真撮影の準備を整えると、その準備の完了時点から、予め選定された所定の維持時間（数秒程度）に達するまでの間は、その準備の整った状態（以下、これを準備完了状態とも呼ぶ）を維持する。これにより制御部２０は、撮影準備命令の入力に引き続き撮影命令が入力されると、その写真撮影の準備を整えた状態で被写体を写真撮影するようになされている。
【０２６６】
また図１４に示すように、制御部２０は、操作スクリーン１６に撮影状態提示画像を表示した状態で、表示面４３Ａのほぼ全面に亘って例えば、操作体としての手のひらをかざすようなかざし操作が行われて撮影命令が入力されると、写真撮影処理を実行する。
【０２６７】
制御部２０は、動画撮影していない状態で撮影命令が入力されたとき、まだ準備完了状態を維持していると、その準備完了状態のまま、上述のように撮影部２２と共にコーデック２９を制御して被写体を写真撮影して写真画像データ生成する。そして制御部２０は、その写真画像データ（すなわち圧縮写真画像データ）を記録媒体３０に記録する。
【０２６８】
ただし制御部２０は、撮影命令が入力されたとき、写真撮影の準備を何ら整えてはいないと、その撮影範囲の中で、このときのかざし操作で検出された領域重心位置に対応する部分のフォーカスや露出等を自動的に調整するようにして写真撮影の準備を整える。
【０２６９】
すなわち、制御部２０は、撮影準備命令が直前に入力されずに撮影命令が入力されたときや、撮影準備命令の入力に応じて整えた写真撮影の準備を解除した後に撮影命令が入力されたときには、写真撮影の準備を整える。
【０２７０】
そのうえで制御部２０は、上述のように撮影部２２と共にコーデック２９を制御して被写体を写真撮影して写真画像データを生成すると共に、その写真画像データ（すなわち圧縮写真画像データ）を記録媒体３０に記録する。
【０２７１】
ところで、制御部２０は、上述のように動画撮影の実行中でも、フェード命令の入力を無効にしていると、撮影命令の入力に応じた写真撮影処理を実行する。ただし制御部２０は、動画撮影の間に写真撮影する場合、撮影範囲内の特定の部分のフォーカスや露出を調整して写真撮影の準備を整えるようなことはせず、撮影命令の入力に応じて写真撮影処理を実行する。
【０２７２】
このようにして制御部２０は、動画撮影により得られる動画像において、途中で人物の顔のように特定の部分のみフォーカスや露出等が他の部分とは異なるように変化することを回避している。
【０２７３】
図１５（Ａ）及び（Ｂ）に示すように、制御部２０は、撮影状態提示画像を表示した状態で、表示面４３Ａのほぼ左半分に例えば、操作体としての手のひらをかざすようなかざし操作が行われてズームイン命令が入力されると、ズーム処理を実行する。この際、制御部２０は、例えば、ドライバ２５を介して光学ユニット２３を駆動制御することによりズームレンズを移動させて撮影範囲を狭める。
【０２７４】
ところで、制御部２０は、この際、表示面４３Ａのほぼ左半分に手のひらがかざされている間、ズームレンズを徐々に移動させる。よって制御部２０は、表示面４３Ａのほぼ左半分に手のひらをかざし続ける時間により、撮影範囲をどの程度狭めるのかを容易に選定させることができる。
【０２７５】
また図１６（Ａ）及び（Ｂ）に示すように、制御部２０は、撮影状態提示画像を表示した状態で、表示面４３Ａのほぼ右半分に例えば、操作体としての手のひらをかざすようなかざし操作が行われてズームアウト命令が入力されると、ズーム処理を実行する。この際、制御部２０は、例えば、ドライバ２５を介して光学ユニット２３を駆動制御することによりズームレンズを移動させて撮影範囲を広げる。
【０２７６】
ところで、制御部２０は、この際、表示面４３Ａのほぼ右半分に手のひらがかざされている間、ズームレンズを徐々に移動させる。よって制御部２０は、表示面４３Ａのほぼ右半分に手のひらをかざし続ける時間により、撮影範囲をどの程度広げるのかを容易に選定させることができる。
【０２７７】
さらに図１７に示すように、制御部２０は、操作スクリーン１６に撮影状態提示画像を表示した状態で、例えば、操作体としての手のひらを表示面４３Ａの上半分にかざすようなかざし操作が行われて記録開始命令が入力されると、動画撮影処理を開始する。
【０２７８】
この際、制御部２０は、上述のように撮影部２２と共にコーデック２９を制御して被写体の動画撮影を開始（すなわち、撮影の記録を開始）することにより動画像データ（すなわち圧縮動画像データ）の生成及び記録媒体３０への記録を開始する。
【０２７９】
そして図１８に示すように、制御部２０は、動画撮影処理を開始した後、例えば、操作体としての手のひらを表示面４３Ａの下半分にかざすようなかざし操作が行われて記録終了命令が入力されると、実行中であった動画撮影処理を終了する。
【０２８０】
この際、制御部２０は、上述のように撮影部２２と共にコーデック２９を制御して被写体の動画撮影を終了（すなわち、撮影の記録を終了）することにより動画像データ（すなわち圧縮動画像データ）の生成及び記録媒体３０への記録を終了する。
【０２８１】
さらに図１９（Ａ）乃至（Ｃ）に示すように、制御部２０は、動画撮影前に操作スクリーン１６に撮影状態提示画像を表示している間、その撮影状態提示画像に、デジタルカメラ１０の使用状況を示すアイコンを所定のレイアウトで重ねて表示する。
【０２８２】
また制御部２０は、動画撮影中に操作スクリーン１６に撮影状態提示画像を表示している間、その撮影状態提示画像に、動画撮影の状況を示すテキストも所定のレイアウトで重ねて表示する。
【０２８３】
そして制御部２０は、操作スクリーン１６に撮影状態提示画像を表示した状態で、例えば、操作体としての手のひらを表示面４３Ａの右端寄りや左端寄り、上端寄り、下端寄りにかざすようなかざし操作が行われて移動命令が入力されると、移動処理を実行する。
【０２８４】
この際、制御部２０は、このときのかざし操作で検出された領域重心位置（又は領域位置）により、表示面４３Ａにおけるかざし領域の位置（表示面４３Ａの右端寄りや左端寄り、上端寄り、下端寄り）を検出する。
【０２８５】
そして制御部２０は、その検出結果に応じて撮影状態提示画像データに対する複数のアイコンの画像データや複数のテキストのテキストデータの合成位置を変更する。これにより制御部２０は、撮影状態提示画像上の操作体がかざされた部分に、複数のアイコンや複数のテキストを移動させて表示する。
【０２８６】
このようにして制御部２０は、撮影状態提示画像内の複数のアイコンや複数のテキストを被写体の上から、操作体がかざされた右端寄りや左端寄り、上端寄り、下端寄りに移動させる。よって制御部２０は、アイコンやテキストにより被写体の撮影状態が確認し難くなることを回避することができる。
【０２８７】
図２０（Ａ）乃至（Ｃ）に示すように、制御部２０は、動画撮影の実行中、フェード命令の入力が有効な状態で、例えば、操作体としての片方の手のひらを表示面４３Ａにかざすようなかざし操作が行われてフェード命令が入力されると、フェード処理を実行する。
【０２８８】
実際に制御部２０は、かざし領域の領域重心位置及び領域面積の大きさに応じてデジタル処理回路２８を制御して、動画像データを構成する複数の単位動画像データに明度や彩度等を調整するようなフェード処理を施す。
【０２８９】
また制御部２０は、この際、表示面４３Ａに対し操作体としての片方の手のひらが離され、また近づけられて領域面積が変化すると、その変化に応じてデジタル処理回路２８を制御する。よって制御部２０は、動画像データを構成する複数の単位動画像データに徐々に明度や彩度等の調整値を変化させるようなフェード処理を施す。
【０２９０】
これにより制御部２０は、フェード命令の入力時点に、表示面４３Ａに片方の手のひらが近接していると、動画像を構成する複数の単位動画像においてがざし領域に対応する全面や右半分、左半分等の一箇所を黒色又は白色に変化させる。
【０２９１】
よって制御部２０は、動画像を構成する複数の単位動画像においてがざし領域に対応する全面や右半分、左半分等の一箇所の絵柄をほとんど見えないようにする。
【０２９２】
そして制御部２０は、この際、表示面４３Ａに近接していた片方の手のひらが徐々に離されると、動画像を構成する複数の単位動画像においてがざし領域に対応する全面や右半分、左半分等の一箇所から黒色又は白色を徐々に抜くようにする。
【０２９３】
よって制御部２０は、動画像を構成する複数の単位動画像においてがざし領域に対応する全面や右半分、左半分等の一箇所の絵柄を徐々に見えるように（すなわち、フェードイン）する。
【０２９４】
これに対し制御部２０は、フェード命令の入力時点に、表示面４３Ａから片方の手のひらが比較的離れていると、動画像を構成する複数の単位動画像においてがざし領域に対応する全面や右半分、左半分等の一箇所に黒色又は白色を僅かに追加する。
【０２９５】
よって制御部２０は、動画像を構成する複数の単位動画像においてがざし領域に対応する全面や右半分、左半分等の一箇所の絵柄を僅かに見えづらくする。
【０２９６】
そして制御部２０は、この際、表示面４３Ａに片方の手のひらが徐々に近づけられると、動画像を構成する複数の単位動画像においてがざし領域に対応する全面や右半分、左半分等の一箇所に追加する黒色又は白色を徐々に増加させる。
【０２９７】
よって制御部２０は、動画像を構成する複数の単位動画像においてがざし領域に対応する全面や右半分、左半分等の一箇所の絵柄を徐々に見えないように（すなわち、フェードアウト）する。
【０２９８】
このようにして制御部２０は、動画撮影を実行しながら、動画像データを適宜、フェードをかけて生成し記録し得るようになされている。ところで、制御部２０は、この際、動画像データと同時に生成している撮影状態提示画像データについても同様にフェード処理を施す。
【０２９９】
よって制御部２０は、このとき操作スクリーン１６に表示している撮影状態提示画像により、かざし操作に応じて動画像に施しているフェードの状態を確認させることができる。
【０３００】
また図２１（Ａ）及び（Ｂ）に示すように、制御部２０は、動画撮影の実行中、フェード命令の入力が有効な状態で、例えば、操作体としての両手のひらを表示面４３Ａにかざすようなかざし操作が行われてフェード命令が入力されても、フェード処理を実行する。
【０３０１】
この際、制御部２０は、二箇所のかざし領域のうち、一箇所のかざし領域のみがフェード命令の入力条件を満たしていると、図２０（Ａ）乃至（Ｃ）について説明した場合と同様に処理する。
【０３０２】
また制御部２０は、二箇所のかざし領域が共にフェード命令の入力条件を満たすと、当該二箇所のかざし領域の領域重心位置及び領域面積の大きさに応じてデジタル処理回路２８を制御して、動画像データを構成する複数の単位動画像データにフェード処理を施す。
【０３０３】
この際、制御部２０は、表示面４３Ａに対し両手のひらが離され、また近づけられて２つの領域面積が変化すると、その変化に応じてデジタル処理回路２８を制御して、動画像データを構成する複数の単位動画像データにフェード処理を施す。
【０３０４】
よって制御部２０は、フェード命令の入力時点に、表示面４３Ａに両手のひらが近接していると、動画像を構成する複数の単位動画像において二箇所のがざし領域に対応する右端寄り及び左端寄りや上端寄り及び左端寄り等の二箇所を黒色又は白色に変化させる。
【０３０５】
これにより制御部２０は、動画像を構成する複数の単位動画像において二箇所のがざし領域に対応する右端寄り及び左端寄りや上端寄り及び左端寄り等の二箇所の絵柄をほとんど見えないようにする。
【０３０６】
そして制御部２０は、この際、表示面４３Ａに近接していた両手のひらが徐々に離されると、動画像を構成する複数の単位動画像において二箇所のがざし領域に対応する右端寄り及び左端寄りや上端寄り及び左端寄り等の二箇所から黒色又は白色を徐々に抜く。
【０３０７】
よって制御部２０は、動画像を構成する複数の単位動画像において二箇所のがざし領域に対応する右端寄り及び左端寄りや上端寄り及び左端寄り等の二箇所の絵柄を徐々に見えるように（すなわち、フェードイン）する。
【０３０８】
制御部２０は、フェード命令の入力時点に、表示面４３Ａから両手のひらが比較的離れていると、動画像を構成する複数の単位動画像において二箇所のがざし領域に対応する右端寄り及び左端寄りや上端寄り及び左端寄り等の二箇所に黒色又は白色を僅かに追加する。
【０３０９】
よって制御部２０は、動画像を構成する複数の単位動画像において二箇所のがざし領域に対応する右端寄り及び左端寄りや上端寄り及び左端寄り等の二箇所の絵柄を僅かに見えづらくする。
【０３１０】
そして制御部２０は、この際、表示面４３Ａに両手のひらが徐々に近づけられると、動画像を構成する複数の単位動画像において二箇所のがざし領域に対応する右端寄り及び左端寄りや上端寄り及び左端寄り等の二箇所に追加する黒色又は白色を徐々に増加させる。
【０３１１】
また制御部２０は、表示面４３Ａに両手のひらが徐々に近づけられると、動画像を構成する複数の単位動画像において二箇所のがざし領域に対応する右端寄り及び左端寄りや上端寄り及び左端寄り等の黒色又は白色を追加する２つの部分を徐々に広げる。
【０３１２】
よって制御部２０は、動画像を構成する複数の単位動画像において二箇所のがざし領域に対応する右端寄り及び左端寄りや上端寄り及び左端寄り等の２つの部分の絵柄を徐々に見えないように（すなわち、フェードアウト）する。
【０３１３】
また制御部２０は、動画像を構成する複数の単位動画像において、その絵柄を徐々に見えないようにする２つの部分をそれぞれ徐々に広げて最終的には、単位動画像全面の絵柄をほとんど見えないようにする。
【０３１４】
このようにして制御部２０は、動画撮影を実行しながら、動画像データを適宜、フェードをかけて生成し記録し得るようになされている。なお、制御部２０は、この際も、動画像データと同時に生成している撮影状態提示画像データに同様にフェード処理を施す。
【０３１５】
よって制御部２０は、このとき操作スクリーン１６に表示している撮影状態提示画像により、かざし操作に応じて動画像に施しているフェードの状態を確認させることができる。
【０３１６】
ところで、制御部２０は、フェード処理を実行して、動画像を構成する複数の単位動画像の絵柄が見える状態から徐々に見えなくして、最終的に単位動画像全面の絵柄を全く見えないようにすると、その時点から内部のタイマにより計時を開始する。
【０３１７】
そして制御部２０は、この際、単位動画像全面の絵柄を全く見えないようにした時点から、新たにフェード命令が入力されないまま、予め選定された所定時間に達すると、動画撮影処理を自動的に終了する。
【０３１８】
このようにして制御部２０は、動画像の絵柄を徐々に見えなくし、最終的に動画像の絵柄を全く見えないようにしたまま、動画撮影を終了させるように要望されたときには、わざわざ記録終了命令を入力させずに、動画撮影を自動的に終了させることができる。
【０３１９】
［１−７  撮影制御処理手順］
次いで、図２２乃至図２６を用いて、制御部２０が、撮影モード時、内部のメモリに予め記憶された撮影制御プログラムに従って実行する撮影制御処理手順ＲＴ１について説明する。
【０３２０】
制御部２０は、撮影モードに移行すると、内部のメモリに予め記憶された撮影制御プログラムに従い、図２２乃至図２６に示す撮影制御処理手順ＲＴ１を開始する。制御部２０は、撮影制御処理手順ＲＴ１を開始すると、ステップＳＰ１においてかざし領域が検出されたか否かを判別する。
【０３２１】
このステップＳＰ１において否定結果が得られると、このことは表示面４３Ａに対しかざし操作が行われてはいないことを表している。ステップＳＰ１において制御部２０は、かかる否定結果を得ると、次のステップＳＰ２に移る。
【０３２２】
ステップＳＰ２において制御部２０は、撮影モードを終了するか否かを判別する。このステップＳＰ２において否定結果が得られると、このことは未だ再生モードへの移行や電源オフが指示されてはいないことを表している。ステップＳＰ２において制御部２０は、かかる否定結果を得ると、ステップＳＰ１に戻る。
【０３２３】
よって制御部２０は、この後、ステップＳＰ１又はステップＳＰ２において肯定結果を得るまでの間、ステップＳＰ１及びステップＳＰ２の処理を繰り返し実行して、かざし操作が行われることや撮影モードの終了を待ち受ける。
【０３２４】
ところで、ステップＳＰ１において肯定結果が得られると、このことは表示面４３Ａに対しかざし操作が行われたことを表している。このステップＳＰ１において制御部２０は、かかる肯定結果を得ると、ステップＳＰ３に移る。
【０３２５】
ステップＳＰ３において制御部２０は、このときのかざし操作に応じて検出された領域面積が第３の面積閾値以下であるか否かを判別する。このステップＳＰ３において肯定結果が得られると、このことは、このとき表示面４３Ａに例えば、操作体としての指先をかざすようなかざし操作が行われて撮影準備命令が入力されたことを表している。ステップＳＰ３において制御部２０は、かかる肯定結果を得ると、次のステップＳＰ４に移る。
【０３２６】
よってステップＳＰ４において制御部２０は、ドライバ２５を介して光学ユニット２３を駆動制御するようにして撮影準備処理を実行することにより、撮影範囲内において領域重心位置に対応する部分のフォーカスや露出等を調整して写真撮影の準備を整える。また制御部２０は、この際、内部のタイマによって維持時間の計時を開始し、準備完了状態を維持したまま、ステップＳＰ１に戻る。
【０３２７】
ところで、ステップＳＰ３において否定結果が得られると、このことは、このときかざし操作により撮影命令、ズームアウト命令、ズームイン命令、移動命令、記録開始命令の何れかが入力された可能性があることを表している。ステップＳＰ３において制御部２０は、かかる否定結果を得ると、ステップＳＰ５に移る。
【０３２８】
ステップＳＰ５において制御部２０は、このときのかざし操作に応じて検出された領域面積が第１の面積閾値以上であるか否かを判別する。このステップＳＰ５において肯定結果が得られると、このことは、このとき表示面４３Ａのほぼ全面に亘って例えば、操作体としての手のひらをかざすようなかざし操作が行われて撮影命令が入力されたことを表している。ステップＳＰ５において制御部２０は、かかる肯定結果を得ると、次のステップＳＰ６に移る。
【０３２９】
ステップＳＰ６において制御部２０は、すでに写真撮影の準備を整えているか否かを判別する。ステップＳＰ６において肯定結果が得られると、このことは、撮影準備命令の入力に引き続き撮影命令が入力されたことで、準備完了状態をまだ維持していることを表している。ステップＳＰ６において制御部２０は、かかる肯定結果を得ると、次のステップＳＰ７に移る。
【０３３０】
これに対しステップＳＰ６において否定結果が得られると、このことは、直前に撮影準備命令が入力されないまま、撮影命令が入力されたことで、まだ写真撮影の準備を整えてはいないことを表している。ステップＳＰ６において制御部２０は、かかる否定結果を得ると、次のステップＳＰ８に移る。
【０３３１】
よってステップＳＰ８において制御部２０は、ドライバ２５を介して光学ユニット２３を駆動制御するようにして撮影準備処理を実行する、これにより制御部２０は、撮影範囲内において領域重心位置に対応する部分のフォーカスや露出等を調整するようにして写真撮影の準備を整えて、ステップＳＰ７に移る。
【０３３２】
ステップＳＰ７において制御部２０は、その写真撮影の準備を整えた状態のまま、撮影部２２及びコーデック２９を制御するようにして写真撮影処理を実行した後、ステップＳＰ１に戻る。
【０３３３】
ところで、ステップＳＰ５において否定結果が得られると、このことは、このときかざし操作によりズームアウト命令、ズームイン命令、移動命令、記録開始命令の何れかが入力された可能性があることを表している。ステップＳＰ５において制御部２０は、かかる否定結果を得ると、ステップＳＰ９に移る。
【０３３４】
ステップＳＰ９において制御部２０は、このときのかざし操作に応じて検出された領域面積が第２の面積閾値以上であるか否かを判別する。このステップＳＰ９において肯定結果が得られると、このことは、このときかざし操作によりズームアウト命令、ズームイン命令、記録開始命令の何れかが入力された可能性があることを表している。ステップＳＰ９において制御部２０は、かかる肯定結果を得ると、ステップＳＰ１０に移る。
【０３３５】
ステップＳＰ１０において制御部２０は、このときのかざし操作に応じて検出された領域位置が左入力領域ＣＩＡ３内であるか否かを判別する。このステップＳＰ１０において肯定結果が得られると、このことは、このとき表示面４３Ａのほぼ左半分に例えば、操作体としての手のひらをかざすようなかざし操作が行われてズームアウト命令が入力されたことを表している。ステップＳＰ１０において制御部２０は、かかる肯定結果を得ると、次のステップＳＰ１１に移る。
【０３３６】
よってステップＳＰ１１において制御部２０は、ドライバ２５を介して光学ユニット２３を駆動制御してズーム処理を実行することにより、ズームレンズを移動させて撮影範囲を狭めた後、ステップＳＰ１に戻る。
【０３３７】
またステップＳＰ１０において否定結果が得られると、このことは、このときかざし操作によりズームアウト命令、記録開始命令の何れかが入力された可能性があることを表している。ステップＳＰ１０において制御部２０は、かかる否定結果を得ると、ステップＳＰ１２に移る。
【０３３８】
ステップＳＰ１２において制御部２０は、このときのかざし操作に応じて検出された領域位置が右入力領域ＣＩＡ２内であるか否かを判別する。このステップＳＰ１２において肯定結果が得られると、このことは、このとき表示面４３Ａのほぼ右半分に例えば、操作体としての手のひらをかざすようなかざし操作が行われてズームイン命令が入力されたことを表している。ステップＳＰ１２において制御部２０は、かかる肯定結果を得ると、次のステップＳＰ１３に移る。
【０３３９】
よってステップＳＰ１３において制御部２０は、ドライバ２５を介して光学ユニット２３を駆動制御してズーム処理を実行することにより、ズームレンズを移動させて撮影範囲を広げた後、ステップＳＰ１に戻る。
【０３４０】
またステップＳＰ９において否定結果が得られると、このことは、このときかざし操作により移動命令が入力された可能性があることを表している。ステップＳＰ９において制御部２０は、かかる否定結果を得ると、ステップＳＰ１４に移る。
【０３４１】
ステップＳＰ１４において制御部２０は、このときのかざし操作に応じて検出された領域位置が下限閾値以上で、かつ上限閾値以下であるか否かを判別する。このステップＳＰ１４において肯定結果が得られると、このことは、このとき表示面４３Ａの右端寄りや左端寄り、上端寄り、下端寄りに例えば、操作体としての手のひらをかざすようなかざし操作が行われて移動命令が入力されたことを表している。ステップＳＰ１４において制御部２０は、かかる肯定結果を得ると、次のステップＳＰ１５に移る。
【０３４２】
よってステップＳＰ１５において制御部２０は、移動処理を実行することにより、撮影状態提示画像上の操作体がかざされた部分に、複数のアイコンや複数のテキストを移動させた後、ステップＳＰ１に戻る。
【０３４３】
またステップＳＰ１４において否定結果が得られると、このことは、このとき表示面４３Ａに命令を入力するようには操作体がかざされていなかったため、命令が何ら入力されていないことを表している。ステップＳＰ１４において制御部２０は、かかる否定結果を得ると、ステップＳＰ１に戻る。
【０３４４】
ところで、ステップＳＰ１２において否定結果が得られると、このことは、このときかざし操作により記録開始命令が入力された可能性があることを表している。ステップＳＰ１２において制御部２０は、かかる否定結果を得ると、ステップＳＰ１６に移る。
【０３４５】
ステップＳＰ１６において制御部２０は、このときのかざし操作に応じて検出された領域位置が上入力領域ＣＩＡ４内であるか否かを判別する。このステップＳＰ１６において否定結果が得られると、このことは、このとき表示面４３Ａに命令を入力するようには操作体がかざされていなかったため、命令が何ら入力されていないことを表している。ステップＳＰ１６において制御部２０は、かかる否定結果を得ると、ステップＳＰ１に戻る。
【０３４６】
これに対しステップＳＰ１６において肯定結果が得られると、このことは、このとき表示面４３Ａのほぼ上半分に例えば、操作体としての手のひらをかざすようなかざし操作が行われて記録開始命令が入力されたことを表している。
【０３４７】
ステップＳＰ１６において制御部２０は、かかる肯定結果を得ると、次のステップＳＰ１７に移る。よってステップＳＰ１７において制御部２０は、撮影部２２及びコーデック２９を制御して動画撮影処理を開始（撮影の記録を開始）し、次のステップＳＰ１８に移る。
【０３４８】
ステップＳＰ１８において制御部２０は、現在、フェード命令の入力が有効であるか否かを判別する。このステップＳＰ１８において肯定結果が得られると、このことは動画撮影して得られる動画像を、フェードをかけながら記録するように要望され、事前にフェード命令の入力を有効にするように設定していたことを表している。
【０３４９】
ステップＳＰ１８において制御部２０は、かかる肯定結果を得ると、次のステップＳＰ１９に移る。ステップＳＰ１９において制御部２０は、かざし領域が検出されることを待ち受けて、操作スクリーン１６によりかざし領域が検出されると、次のステップＳＰ２０に移る。
【０３５０】
ステップＳＰ２０において制御部２０は、このときのかざし操作に応じて検出された領域位置が下入力領域ＣＩＡ４内で、かつ領域面積が第２の面積閾値以上であるか否かを判別する。
【０３５１】
このステップＳＰ２０において肯定結果が得られると、このことは、このとき表示面４３Ａのほぼ下半分に例えば、操作体としての手のひらをかざすようなかざし操作が行われて記録終了命令が入力されたことを表している。
【０３５２】
ステップＳＰ２０において制御部２０は、かかる肯定結果を得ると、次のステップＳＰ２１に移る。よってステップＳＰ２１において制御部２０は、撮影部２２及びコーデック２９を制御して動画撮影処理を終了（撮影の記録を終了）した後、ステップＳＰ１に戻る。
【０３５３】
またステップＳＰ２０において否定結果が得られると、このことは、このときかざし操作によりフェード命令が入力された可能性があることを表している。ステップＳＰ２０において制御部２０は、かかる否定結果を得ると、ステップＳＰ２２に移る。
【０３５４】
ステップＳＰ２２において制御部２０は、このときのかざし操作に応じて検出された領域面積が第４の面積閾値以上であるか否かを判別する。このステップＳＰ２２において肯定結果が得られると、このことは、このとき表示面４３Ａの一箇所又は二箇所に例えば、操作体としての手のひらをかざすようなかざし操作が行われてフェード命令が入力されたことを表している。
【０３５５】
ステップＳＰ２２において制御部２０は、かかる肯定結果を得ると、次のステップＳＰ２３に移る。よってステップＳＰ２３において制御部２０は、デジタル処理回路２８を制御して動画像データ（及び撮影状態提示画像データ）に対するフェード処理を実行して、次のステップＳＰ２４に移る。
【０３５６】
ステップＳＰ２４において制御部２０は、動画撮影処理を自動的に終了させるか否かを判別する。このステップＳＰ２４において肯定結果が得られると、このことは、動画撮影処理を自動的に終了させるために、動画像の全面の絵柄を見える状態から徐々に見えないようにして最終的に全く見えないようにし、その時点から所定時間に達したことを表している。ステップＳＰ２４において制御部２０は、かかる肯定結果を得ると、ステップＳＰ２１に移る。
【０３５７】
またステップＳＰ２４において否定結果が得られると、このことは、動画像の全面の絵柄を全く見えない状態から徐々に見えるようにして、最終的にその絵柄を完全に見えるようにしたことで、まだ動画撮影を継続することを表している。ステップＳＰ２４において制御部２０は、かかる否定結果を得ると、ステップＳＰ１９に戻る。
【０３５８】
さらにステップＳＰ２２において否定結果が得られると、このことは、このとき表示面４３Ａに命令を入力するようには操作体がかざされていなかったため、命令が何ら入力されていないことを表している。ステップＳＰ２２において制御部２０は、かかる否定結果を得ると、ステップＳＰ１９に戻る。
【０３５９】
ところで、ステップＳＰ１８において否定結果が得られると、このことは動画撮影して得られる動画像を、フェードをかけながら記録するようには要望されておらず、事前にフェード命令の入力を無効にするように設定していたことを表している。
【０３６０】
ステップＳＰ１８において制御部２０は、かかる否定結果を得ると、ステップＳＰ２５に移る。ステップＳＰ２５において制御部２０は、かざし領域が検出されることを待ち受けて、操作スクリーン１６によりかざし領域が検出されると、次のステップＳＰ２６に移る。
【０３６１】
ステップＳＰ２６において制御部２０は、このときのかざし操作に応じて検出された領域面積が第１の面積閾値以上であるか否かを判別する。このステップＳＰ２６において肯定結果が得られると、このことは、このとき表示面４３Ａのほぼ全面に亘って例えば、操作体としての手のひらをかざすようなかざし操作が行われて撮影命令が入力されたことを表している。ステップＳＰ２６において制御部２０は、かかる肯定結果を得ると、次のステップＳＰ２７に移る。
【０３６２】
ステップＳＰ２７において制御部２０は、写真撮影の準備を特には整えないまま、撮影部２２及びコーデック２９を制御するようにして写真撮影処理を実行した後、ステップＳＰ２５に戻る。
【０３６３】
ところで、ステップＳＰ２６において否定結果が得られると、このことは、このときかざし操作によりズームアウト命令、ズームイン命令、移動命令、記録終了命令の何れかが入力された可能性があることを表している。ステップＳＰ２６において制御部２０は、かかる否定結果を得ると、ステップＳＰ２８に移る。
【０３６４】
ステップＳＰ２８において制御部２０は、このときのかざし操作に応じて検出された領域面積が第２の面積閾値以上であるか否かを判別する。このステップＳＰ２８において肯定結果が得られると、このことは、このときかざし操作によりズームアウト命令、ズームイン命令、記録開始命令の何れかが入力された可能性があることを表している。ステップＳＰ２８において制御部２０は、かかる肯定結果を得ると、ステップＳＰ２９に移る。
【０３６５】
ステップＳＰ２９において制御部２０は、このときのかざし操作に応じて検出された領域位置が左入力領域ＣＩＡ３内であるか否かを判別する。このステップＳＰ２９において肯定結果が得られると、このことは、このとき表示面４３Ａのほぼ左半分に例えば、操作体としての手のひらをかざすようなかざし操作が行われてズームアウト命令が入力されたことを表している。ステップＳＰ２９において制御部２０は、かかる肯定結果を得ると、次のステップＳＰ３０に移る。
【０３６６】
よってステップＳＰ３０において制御部２０は、ドライバ２５を介して光学ユニット２３を駆動制御してズーム処理を実行することにより、ズームレンズを移動させて撮影範囲を狭めた後、ステップＳＰ２５に戻る。
【０３６７】
またステップＳＰ２９において否定結果が得られると、このことは、このときかざし操作によりズームアウト命令、記録終了命令の何れかが入力された可能性があることを表している。ステップＳＰ２９において制御部２０は、かかる否定結果を得ると、ステップＳＰ３１に移る。
【０３６８】
ステップＳＰ３１において制御部２０は、このときのかざし操作に応じて検出された領域位置が右入力領域ＣＩＡ２内であるか否かを判別する。このステップＳＰ３１において肯定結果が得られると、このことは、このとき表示面４３Ａのほぼ右半分に例えば、操作体としての手のひらをかざすようなかざし操作が行われてズームイン命令が入力されたことを表している。ステップＳＰ３１において制御部２０は、かかる肯定結果を得ると、次のステップＳＰ３２に移る。
【０３６９】
よってステップＳＰ３２において制御部２０は、ドライバ２５を介して光学ユニット２３を駆動制御してズーム処理を実行することにより、ズームレンズを移動させて撮影範囲を広げた後、ステップＳＰ２５に戻る。
【０３７０】
またステップＳＰ２８において否定結果が得られると、このことは、このときかざし操作により移動命令が入力された可能性があることを表している。ステップＳＰ２８において制御部２０は、かかる否定結果を得ると、ステップＳＰ３３に移る。
【０３７１】
ステップＳＰ３３において制御部２０は、このときのかざし操作に応じて検出された領域位置が下限閾値以上で、かつ上限閾値以下であるか否かを判別する。このステップＳＰ３３において肯定結果が得られると、このことは、このとき表示面４３Ａの右端寄りや左端寄り、上端寄り、下端寄りに例えば、操作体としての手のひらをかざすようなかざし操作が行われて移動命令が入力されたことを表している。ステップＳＰ３３において制御部２０は、かかる肯定結果を得ると、次のステップＳＰ３４に移る。
【０３７２】
よってステップＳＰ３４において制御部２０は、移動処理を実行することにより、撮影状態提示画像上の操作体がかざされた部分に、複数のアイコンや複数のテキストを移動させた後、ステップＳＰ２５に戻る。
【０３７３】
またステップＳＰ３３において否定結果が得られると、このことは、このとき表示面４３Ａに命令を入力するようには操作体がかざされていなかったため、命令が何ら入力されていないことを表している。ステップＳＰ３３において制御部２０は、かかる否定結果を得ると、ステップＳＰ２５に戻る。
【０３７４】
ところで、ステップＳＰ３１において否定結果が得られると、このことは、このときかざし操作により記録終了命令が入力された可能性があることを表している。ステップＳＰ３１において制御部２０は、かかる否定結果を得ると、ステップＳＰ３５に移る。
【０３７５】
ステップＳＰ３５において制御部２０は、このときのかざし操作に応じて検出された領域位置が下入力領域ＣＩＡ４内で、かつ領域面積が第２の面積閾値以上であるか否かを判別する。
【０３７６】
このステップＳＰ３５において肯定結果が得られると、このことは、このとき表示面４３Ａのほぼ下半分に例えば、操作体としての手のひらをかざすようなかざし操作が行われて記録終了命令が入力されたことを表している。
【０３７７】
ステップＳＰ３５において制御部２０は、かかる肯定結果を得ると、次のステップＳＰ３６に移る。よってステップＳＰ３６において制御部２０は、撮影部２２及びコーデック２９を制御して動画撮影処理を終了（撮影の記録を終了）した後、ステップＳＰ２５に戻る。
【０３７８】
またステップＳＰ３５において否定結果が得られると、このことは、このとき表示面４３Ａに命令を入力するようには操作体がかざされていなかったため、命令が何ら入力されていないことを表している。ステップＳＰ３５において制御部２０は、かかる否定結果を得ると、ステップＳＰ２５に戻る。
【０３７９】
このようにして制御部２０は、撮影モードの間、ステップＳＰ１乃至ステップＳＰ３６の処理を適宜実行することにより、表示面４３Ａに対するかざし操作によって入力される命令に応じて被写体の写真撮影や動画撮影を制御する。
【０３８０】
そしてステップＳＰ２において肯定結果が得られると、このことは再生モードへの移行や電源オフが指示されて撮影モードを終了することを表している。ステップＳＰ２において制御部２０は、かかる肯定結果を得ると、ステップＳＰ３７に移る。これによりステップＳＰ３７において制御部２０は、撮影制御処理手順ＲＴ１を終了する。
【０３８１】
［１−８  実施の形態の動作及び効果］
以上の構成において、デジタルカメラ１０の制御部２０は、撮影モード時、操作スクリーン１６の表示面４３Ａに操作体をかざすかざし操作が行われると、当該操作スクリーン１６にかざし領域を検出させる。
【０３８２】
そしてデジタルカメラ１０の制御部２０は、その操作スクリーン１６によって検出されたかざし領域に応じて、かざし操作により入力された命令を判別して、当該判別した命令に応じて被写体の写真撮影や動画撮影を制御する。
【０３８３】
従って、デジタルカメラ１０の制御部２０は、被写体を写真撮影や動画撮影する際、当該デジタルカメラ１０に操作キーを押下操作するような外力を何ら加えさせることなく命令を入力させ、その入力に応じて、被写体の写真撮影や動画撮影を制御することができる。
【０３８４】
以上の構成によれば、デジタルカメラ１０は、撮影モード時、操作スクリーン１６の表示面４３Ａに操作体をかざすかざし操作が行われると、当該操作スクリーン１６によって検出されたかざし領域に応じて、かざし操作により入力された命令を判別して、当該判別した命令に応じて被写体の写真撮影や動画撮影を制御するようにした。これによりデジタルカメラ１０は、被写体を写真撮影や動画撮影する際、当該デジタルカメラ１０に操作キーを押下操作するような外力を何ら加えさせることなく命令を入力させて、その入力に応じて、被写体の写真撮影や動画撮影を制御することができる。よってデジタルカメラ１０は、撮影時の手ぶれを防止することができる。
【０３８５】
実際にデジタルカメラ１０は、撮影モード時、被写体を写真撮影するとき、表示面４３Ａに対するかざし操作によって写真撮影の準備を整える撮影準備命令や、写真撮影する撮影命令を入力させるようにした。従ってデジタルカメラ１０は、被写体を写真撮影するとき、撮影準備命令や撮影命令の入力のために、手ぶれが生じることを防止することができる。
【０３８６】
またデジタルカメラ１０は、撮影モード時、動画撮影の途中で被写体を写真撮影するとき、表示面４３Ａに対するかざし操作によって撮影命令を入力させるようにした。従ってデジタルカメラ１０は、動画撮影の間に被写体を写真撮影するときにも、撮影命令の入力のために、手ぶれが生じることを防止することができる。
【０３８７】
さらにデジタルカメラ１０は、撮影モード時、被写体を動画撮影するとき、表示面４３Ａに対するかざし操作によって記録開始命令や記録終了命令を入力させるようにした。従ってデジタルカメラ１０は、被写体の動画撮影を開始するときや終了するときにも、手ぶれが生じることを防止することができる。
【０３８８】
さらにデジタルカメラ１０は、被写体を動画撮影している途中に撮影範囲を狭め、また広げるように変更するとき、表示面４３Ａに対するかざし操作によってズームイン命令やズームアウト命令を入力させるようにした。従ってデジタルカメラ１０は、被写体を動画撮影している途中に撮影範囲を変更するときにも、手ぶれが生じることを防止することができる。
【０３８９】
さらにデジタルカメラ１０は、被写体を動画撮影しているとき、表示面４３Ａに対するかざし操作によってフェード命令を入力させるようにした。従ってデジタルカメラ１０は、被写体の動画撮影中にフェード命令の入力によって、手ぶれが生じることを防止することができる。またデジタルカメラ１０は、被写体を動画撮影しながら、その動画撮影によって得られる動画像を、フェードをかけるように編集することができる。
【０３９０】
さらにデジタルカメラ１０は、このように動画像に対してフェードをかけるとき、表示面４３Ａにかざす操作体と当該表示面４３Ａとの距離の変化に応じて、フェードの程度を調整するようにした。
【０３９１】
さらにデジタルカメラ１０は、このように動画像に対してフェードをかけるとき、表示面４３Ａに操作体を近づけ、また遠ざけるときの時間に応じて、動画像にかけるフェードの程度を変化させる時間も調整するようにした。
【０３９２】
従ってデジタルカメラ１０は、フェード処理のための煩雑な事前設定を何ら行わせることなく、動画像に対し、容易に所望の状態となるようにフェードをかけることができる。
【０３９３】
さらにデジタルカメラ１０は、被写体を動画撮影している間、その被写体の撮影状態を確認させるための撮影状態提示画像を操作スクリーン１６に表示するようにした。またデジタルカメラ１０は、その撮影状態提示画像に、デジタルカメラ１０の使用状況や動画撮影の状況を示すアイコンやテキストを重ねて表示するようにした。
【０３９４】
そしてデジタルカメラ１０は、表示面４３Ａに対するかざし操作によって、撮影状態提示画像上でアイコンやテキストを移動させる移動命令を入力させるようにした。従ってデジタルカメラ１０は、被写体の動画撮影中に移動命令の入力によって、手ぶれが生じることも防止することができる。またデジタルカメラ１０は、被写体の動画撮影中に撮影状態提示画像上でアイコンやテキストを自由に移動させて、撮影状態を的確に確認させることができる。
【０３９５】
さらにデジタルカメラ１０は、撮影モード時、表示面４３Ａに対するかざし操作によって種々の命令を入力させるようにした。よってデジタルカメラ１０は、命令の入力の際にわざわざ操作キーの位置を確認させたりすることなく、表示面４３Ａを見ながら当該表示面４３Ａに操作体をかざす簡易な操作で種々の命令を容易に入力させることができる。またデジタルカメラ１０は、このように表示面４３Ａに対するかざし操作により種々の命令を入力させることで、操作キーを極力減らして構成を簡易化することもできる。
【０３９６】
＜２．変形例＞
［２−１  変形例１］
なお上述した実施の形態においては、表示面４３Ａに対し、予め５種類の命令入力領域を設定し、これら５種類の命令入力領域に予め入力可能な命令を固定的に割り当てるようにした場合について述べた。
【０３９７】
しかしながら本発明は、これに限らず、表示面４３Ａに対し、当該表示面４３Ａの全面のみや、２分割、３分割、４分割、６分割のように少なくとも１以上の命令入力領域を設定するようにしても良い。また本発明は、その命令入力領域に予め入力可能な命令を割り当てるものの、命令入力領域に割り当てる命令を任意に変更させるようにしても良い。
【０３９８】
すなわち、本発明は、このように命令入力領域に割り当てる命令を任意に変更する場合、すでに命令入力領域に割り当てている命令の中で、命令入力領域に割り当てる命令を任意に変更するようにしても良い。また本発明は、命令入力領域よりも多い命令を用意しておき、命令入力領域に所望の命令を割り当てるようにして、命令入力領域に割り当てる命令を変更するようにしても良い。
【０３９９】
そして本発明は、かかる構成により、命令入力領域に割り当てる命令をユーザの要望に応じて選定し得ることにより、命令を入力し易くしてデジタルカメラの使い勝手を向上させることができる。
【０４００】
因みに、本発明は、命令入力領域に上述のフェード命令や移動命令を割り当てるようにしても良いし、他に電源のオン命令やオフ命令等のように、この他種々の命令を割り当てることができる。
【０４０１】
［２−２  変形例２］
また上述した実施の形態においては、かざし操作が行われると、領域重心位置、領域面積、領域右端位置、領域左端位置、領域上端位置、領域下端位置を検出し、これらを使用して、かざし操作によって入力された命令を判別するようにした場合について述べた。
【０４０２】
しかしながら本発明は、これに限らず、かざし操作が行われると、領域重心位置及び領域面積のみを検出し、これら使用して、かざし操作によって入力された命令を判別にするようにしても良い。本発明は、かかる構成により、かざし操作によって入力された命令の判別に使用する情報を少なくし得る分、命令判別処理を簡易化することができる。因みに、本発明は、領域重心位置に替えてかざし領域の中心位置を検出して、かざし操作によって入力された命令の判別に使用するようにしても良い。
【０４０３】
［２−３  変形例３］
さらに上述した実施の形態においては、被写体を動画撮影しながら、その動画撮影によって得られる動画像データに適宜、フェードかけるようにした場合について述べた。しかしながら本発明は、これに限らず、被写体を動画撮影しながら、その動画撮影によって得られる動画像データに適宜、ぼかし処理やモザイク処理、セピア色や白黒等のように彩度を変更する処理等、この他種々のエフェクトをかけるようにしても良い。
【０４０４】
［２−４  変形例４］
さらに上述した実施の形態においては、被写体を写真撮影し、また動画撮影し、さらに動画撮影中に写真撮影するようにした場合について述べた。しかしながら本発明は、これに限らず、被写体の写真撮影及び動画撮影の何れか一方のみを実行し、また被写体の写真撮影と動画撮影とを別々にのみ実行するようにしても良い。
【０４０５】
［２−５  変形例５］
さらに上述した実施の形態においては、事前にメニュー表示モードにおいて、フェード命令の入力を有効にするのか、また無効にするのかを設定しておくようにした場合について述べた。
【０４０６】
しかしながら本発明は、これに限らず、撮影モード時、また動画撮影中、撮影状態提示画像上に、フェード命令の入力を有効にするのか、また無効にするのかを設定するためのアイコンを表示する。
【０４０７】
そして本発明は、撮影モード時や動画撮影中に、上述のように、そのアイコンをかざし操作で指示させるようにして、フェード命令の入力を有効にするのか、また無効にするのかを設定するようにしても良い。
【０４０８】
［２−６  変形例６］
さらに上述した実施の形態においては、写真撮影の準備を整えてはいない状態で撮影命令が入力されたとき、撮影範囲内において領域重心位置に対応する部分のフォーカスや露出等を調整するようにして写真撮影の準備を整えたうえで、写真撮影処理を実行するようにした場合について述べた。
【０４０９】
しかしながら本発明は、これに限らず、写真撮影の準備を整えてはいない状態で撮影命令が入力されたとき、撮影範囲に対し顔検出処理を実行して人物の顔を検出する。そして本発明は、その検出した顔のフォーカスや露出等を調整するようにして写真撮影の準備を整えたうえで、写真撮影処理を実行するようにしても良い。
【０４１０】
［２−７  変形例７］
さらに上述した実施の形態においては、本発明の撮影装置を、図１乃至図２６について上述したデジタルカメラ１０に適用するようにした場合について述べた。しかしながら本発明は、これに限らず、撮影機能を有するコンピュータや、撮影機能を有する携帯電話機、撮影機能を有するＰＤＡ（Personal  Digital  Assistance）、撮影機能を有する携帯型ゲーム機器等の情報処理装置に適用することができる。
【０４１１】
また本発明は、写真撮影機能のみを有するデジタルスチルカメラや、動画撮影機能のみを有するデジタルビデオカメラのような撮影装置等のように、この他種々の構成の撮影装置にも適用することができる。
【０４１２】
［２−８  変形例８］
さらに上述した実施の形態においては、本発明による撮影制御プログラムを、図１乃至図２６について上述した制御部２０の内部のメモリに予め記憶された撮影制御プログラムに適用するようにした。そして制御部２０が、その撮影制御プログラムに従って図２２乃至図２６について上述した撮影制御処理手順ＲＴ１を実行するようにした場合について述べた。
【０４１３】
しかしながら本発明は、これに限らず、デジタルカメラ１０が撮影制御プログラムの記憶されたコンピュータ読取可能な記憶媒体によって撮影制御プログラムをインストールしても良い。そして制御部２０が、そのインストールした撮影制御プログラムに従って撮影制御処理手順ＲＴ１を実行するようにしても良い。
【０４１４】
またデジタルカメラ１０は、ローカルエリアネットワークやインターネット、デジタル衛星放送等の有線及び無線通信媒体を利用して外部から撮影制御プログラムをインストールするようにしても良い。
【０４１５】
そして撮影制御プログラムをデジタルカメラ１０にインストールして実行可能な状態にするためのコンピュータ読取可能な記憶媒体としては、例えばフレキシブルディスクのようなパッケージメディアで実現しても良い。
【０４１６】
また撮影制御プログラムをデジタルカメラ１０にインストールして実行可能な状態にするためのコンピュータ読取可能な記憶媒体としては、ＣＤ−ＲＯＭ（Compact  Disc-Read  Only  Memory）のようなパッケージメディアで実現しても良い。
【０４１７】
さらに撮影制御プログラムをデジタルカメラ１０にインストールして実行可能な状態にするためのコンピュータ読取可能な記憶媒体としては、ＤＶＤ（Digital  Versatile  Disc）等のパッケージメディアで実現しても良い。
【０４１８】
さらに、かかるコンピュータ読取可能な記憶媒体としては、パッケージメディアのみならず、各種プログラムが一時的もしくは永続的に記憶される半導体メモリや磁気ディスク等で実現しても良い。
【０４１９】
また、これらコンピュータ読取可能な記憶媒体に撮影制御プログラムを記憶する手段としては、ローカルエリアネットワークやインターネット、デジタル衛星放送等の有線及び無線通信媒体を利用しても良い。さらにコンピュータ読取可能な記憶媒体には、ルータやモデム等の各種通信インタフェースを介して撮影制御プログラムを記憶するようにしても良い。
【０４２０】
［２−９  変形例９］
さらに上述した実施の形態においては、被写体を撮影する撮影部として、図１乃至図２６について上述した光学ユニット２３、撮像素子２４、ＡＦＥ回路２７、デジタル処理回路２８を有する撮影部２２を適用するようにした場合について述べた。しかしながら本発明は、これに限らず、この他種々の構成の撮影部を広く適用することができる。
【０４２１】
［２−１０  変形例１０］
さらに上述した実施の形態においては、表面に操作体がかざされた際、当該表面に対する操作体のかざし領域を検出する操作スクリーンとして、図１乃至図２６について上述した操作スクリーン１６を適用するようにした場合について述べた。
【０４２２】
しかしながら本発明は、これに限らず、表示機能を有さず、表面に操作体がかざされたときに、かざし領域を検出する操作部としての機能のみを有する操作スクリーン等のように、この他種々の構成の操作スクリーンを広く適用することができる。
【０４２３】
［２−１１  変形例１１］
さらに上述した実施の形態においては、操作スクリーンにより検出されたかざし領域に応じて、撮影部による被写体の撮影を制御する制御部として、図１乃至図２６について上述した制御部２０を適用するようにした場合について述べた。
【０４２４】
しかしながら本発明は、これに限らず、ＣＰＵ（Central  Processing  Unit）やＤＳＰ（Digital  Signal  Processor）を適用することができる。また本発明は、操作スクリーンにより検出されたかざし領域に応じて、撮影部による被写体の撮影を制御するハードウェア回路構成の専用の制御回路等のように、この他種々の構成の制御部にも広く適用することができる。
【産業上の利用可能性】
【０４２５】
本発明は、デジタルカメラやカメラ付携帯電話機、カメラ付携帯ゲーム機器等の撮影装置に利用することができる。
【符号の説明】
【０４２６】
１……撮影装置、２、２２……撮影部、３、１６……操作スクリーン、４、２２……制御部、１０……デジタルカメラ、２３……光学ユニット、２４……撮像素子、２７……ＡＦＥ回路、２８……デジタル処理回路、４０……導光板４１……液晶パネル、４２……保護板、４３……光センサ内蔵型表示部、４３Ａ……表示面、４７……表示処理部、４８……領域検出部、５０……センサ走査回路、５１……解析回路、５２……検出回路、５３……領域データ生成回路、５５、５６……かざし領域、ＬＳ……光センサ、ＲＴ１……撮影制御処理手順。
【図１】
2011101184.tif 000003
【図２】
2011101184.tif 000004
【図３】
2011101184.tif 000005
【図４】
2011101184.tif 000006
【図５】
2011101184.tif 000007
【図６】
2011101184.tif 000008
【図７】
2011101184.tif 000009
【図８】
2011101184.tif 000010
【図９】
2011101184.tif 000011
【図１０】
2011101184.tif 000012
【図１１】
2011101184.tif 000013
【図１２】
2011101184.tif 000014
【図１３】
2011101184.tif 000015
【図１４】
2011101184.tif 000016
【図１５】
2011101184.tif 000017
【図１６】
2011101184.tif 000018
【図１７】
2011101184.tif 000019
【図１８】
2011101184.tif 000020
【図１９】
2011101184.tif 000021
【図２０】
2011101184.tif 000022
【図２１】
2011101184.tif 000023
【図２２】
2011101184.tif 000024
【図２３】
2011101184.tif 000025
【図２４】
2011101184.tif 000026
【図２５】
2011101184.tif 000027
【図２６】
2011101184.tif 000028